(57)【特許請求の範囲】
【請求項１】
チャネル状態情報参照信号を構成するための方法であって、
ユーザ機器の位置情報を取得するステップと、
前記位置情報に応じて、前記ユーザ機器は、少なくとも２つのノードがサービスを提供するクロスカバレージエリア内、または１つのノードがサービスを提供する集中型カバレージエリア内に配置されていると決定するステップと、
前記ユーザ機器は前記クロスカバレージエリア内に配置されていると決定される場合、前記ユーザ機器のために使用される送信ポート数が他のユーザ機器のために使用される送信ポート数と異なることが可能となるように、前記クロスカバレージエリア内で前記ユーザ機器にサービスを提供する前記少なくとも２つのノードの各々によってサポートされる各ノードの送信アンテナの最大数と、前記ユーザ機器の受信アンテナの最大数とに応じて、各ノードにおいてダウンリンク信号を前記ユーザ機器に送信するためのポートの数を決定するステップと、
各ノードからチャネル状態情報参照信号（ＣＳＩ−ＲＳ）構成情報を前記ユーザ機器に送信するステップであって、前記ＣＳＩ−ＲＳ構成情報が、対応するノードにおける前記ポートの前記数を備える、ステップと
を備えることを特徴とする方法。
【請求項２】
ダウンリンク信号を前記ユーザ機器に送信するためのポートの前記数を決定する前記ステップは、
前記ユーザ機器は前記集中型カバレージエリア内に配置されていると決定される場合、前記集中型カバレージエリア内でサービスを提供する前記ノードの送信機能に応じて、ダウンリンク信号を前記ユーザ機器に送信するためのポートの前記数を決定するステップを備えることを特徴とする請求項１に記載の方法。
【請求項３】
協調ユーザ機器のために構成され、第１の非協調ユーザ機器および第２の非協調ユーザ機器のために構成されたリソースに多重化されたリソースに応じて、前記ユーザ機器のＣＳＩ−ＲＳリソース構成シーケンス番号を決定するステップであって、前記ユーザ機器は、前記協調ユーザ機器、前記第１の非協調ユーザ機器、または前記第２の非協調ユーザ機器に属し、前記協調ユーザ機器は、第１のノードと第２のノードとがサービスを提供する前記クロスカバレージエリア内に配置された前記ユーザ機器を備え、前記第１の非協調ユーザ機器は、前記第１のノードがサービスを提供する前記集中型カバレージエリア内に配置された前記ユーザ機器を備え、前記第２の非協調ユーザ機器は、前記第２のノードがサービスを提供する前記集中型カバレージエリア内に配置された前記ユーザ機器を備える、ステップを備え、
ＣＳＩ−ＲＳ構成情報を前記ユーザ機器に送信する前記ステップは、
前記ＣＳＩ−ＲＳ構成情報を前記ユーザ機器に送信するステップを備え、前記ＣＳＩ−ＲＳ構成情報は、前記ユーザ機器の前記ＣＳＩ−ＲＳリソース構成シーケンス番号をさらに備えることを特徴とする請求項１または２に記載の方法。
【請求項４】
前記ユーザ機器が前記第１の非協調ユーザ機器または前記第２の非協調ユーザ機器に属する場合、前記方法は、
前記第１の非協調ユーザ機器のデータ信号をマッピングする場合、前記第２の非協調ユーザ機器のＣＳＩ−ＲＳを運ぶリソース要素（ＲＥ）上の前記第１の非協調ユーザ機器の前記データ信号の電力のためのゼロ化操作を実行するステップと、
前記第２の非協調ユーザ機器のデータ信号をマッピングする場合、前記第１の非協調ユーザ機器のＣＳＩ−ＲＳを運ぶＲＥ上の前記第２の非協調ユーザ機器の前記データ信号の電力のためのゼロ化操作を実行するステップとをさらに備えることを特徴とする請求項３に記載の方法。
【請求項５】
ダウンリンク信号を前記協調ユーザ機器に送信するためのポートの前記数は４であると決定され、ダウンリンク信号を前記第１の非協調ユーザ機器および前記第２の非協調ユーザ機器に送信するためのポートの前記数は２であると決定される場合、前記協調ユーザ機器のＣＳＩ−ＲＳリソース構成シーケンス番号と、前記第１の非協調ユーザ機器および前記第２の非協調ユーザ機器のＣＳＩ−ＲＳリソース構成シーケンス番号との間の対応は表Ａに応じて決定され、
【表１】
0006374510.tif 000036
ダウンリンク信号を前記ユーザ機器に送信するためのフレーム構造は通常のサイクリックプリフィックスを採用することを特徴とする請求項３に記載の方法。
【請求項６】
ダウンリンク信号を前記協調ユーザ機器に送信するためのポートの前記数は４であると決定され、ダウンリンク信号を前記第１の非協調ユーザ機器および前記第２の非協調ユーザ機器に送信するためのポートの前記数は２であると決定される場合、前記協調ユーザ機器のＣＳＩ−ＲＳリソース構成シーケンス番号と、前記第１の非協調ユーザ機器および前記第２の非協調ユーザ機器のＣＳＩ−ＲＳリソース構成シーケンス番号との間の対応は表Ｂに応じて決定され、
【表２】
0006374510.tif 000037
ダウンリンク信号を前記ユーザ機器に送信するためのフレーム構造は通常のサイクリックプリフィックスを採用することを特徴とする請求項３に記載の方法。
【請求項７】
ダウンリンク信号を前記協調ユーザ機器に送信するためのポートの前記数は４であると決定され、ダウンリンク信号を前記第１の非協調ユーザ機器および前記第２の非協調ユーザ機器に送信するためのポートの前記数は２であると決定される場合、前記協調ユーザ機器のＣＳＩ−ＲＳリソース構成シーケンス番号と、前記第１の非協調ユーザ機器および前記第２の非協調ユーザ機器のＣＳＩ−ＲＳリソース構成シーケンス番号との間の対応は表Ｃに応じて決定され、
【表３】
0006374510.tif 000038
ダウンリンク信号を前記ユーザ機器に送信するためのフレーム構造は拡張されたサイクリックプリフィックスを採用することを特徴とする請求項３に記載の方法。
【請求項８】
ダウンリンク信号を前記協調ユーザ機器に送信するためのポートの前記数は４であると決定され、ダウンリンク信号を前記第１の非協調ユーザ機器および前記第２の非協調ユーザ機器に送信するためのポートの前記数は２であると決定される場合、前記協調ユーザ機器のＣＳＩ−ＲＳリソース構成シーケンス番号と、前記第１の非協調ユーザ機器および前記第２の非協調ユーザ機器のＣＳＩ−ＲＳリソース構成シーケンス番号との間の対応は表Ｄに応じて決定され、
【表４】
0006374510.tif 000039
ダウンリンク信号を前記ユーザ機器に送信するためのフレーム構造は拡張されたサイクリックプリフィックスを採用することを特徴とする請求項３に記載の方法。
【請求項９】
ダウンリンク信号を前記協調ユーザ機器に送信するためのポートの前記数は８であると決定され、ダウンリンク信号を前記第１の非協調ユーザ機器および前記第２の非協調ユーザ機器に送信するためのポートの前記数は４であると決定される場合、前記協調ユーザ機器のＣＳＩ−ＲＳリソース構成シーケンス番号と、前記第１の非協調ユーザ機器および前記第２の非協調ユーザ機器のＣＳＩ−ＲＳリソース構成シーケンス番号との間の対応は表Ｅに応じて決定され、
【表５】
0006374510.tif 000040
ダウンリンク信号を前記ユーザ機器に送信するためのフレーム構造は通常のサイクリックプリフィックスを採用することを特徴とする請求項３に記載の方法。
【請求項１０】
ダウンリンク信号を前記協調ユーザ機器に送信するためのポートの前記数は８であると決定され、ダウンリンク信号を前記第１の非協調ユーザ機器および前記第２の非協調ユーザ機器に送信するためのポートの前記数は４であると決定される場合、前記協調ユーザ機器のＣＳＩ−ＲＳリソース構成シーケンス番号と、前記第１の非協調ユーザ機器および前記第２の非協調ユーザ機器のＣＳＩ−ＲＳリソース構成シーケンス番号との間の対応は表Ｆに応じて決定され、
【表６】
0006374510.tif 000041
ダウンリンク信号を前記ユーザ機器に送信するためのフレーム構造は通常のサイクリックプリフィックスを採用することを特徴とする請求項３に記載の方法。
【請求項１１】
ユーザ機器の位置情報を取得するように構成された取得モジュールと、
前記取得モジュールによって取得された前記位置情報に応じて、前記ユーザ機器は、少なくとも２つのノードがサービスを提供するクロスカバレージエリア内、または１つのノードがサービスを提供する集中型カバレージエリア内に配置されていると決定するように構成された第１の決定モジュールと、
前記第１の決定モジュールが、前記ユーザ機器は前記クロスカバレージエリア内に配置されていると決定する場合、前記ユーザ機器のために使用される送信ポート数が他のユーザ機器のために使用される送信ポート数と異なることが可能となるように、前記クロスカバレージエリア内で前記ユーザ機器にサービスを提供する前記少なくとも２つのノードの各々によってサポートされる各ノードの送信アンテナの最大数と、前記ユーザ機器の受信アンテナの最大数とに応じて、各ノードにおいてダウンリンク信号を前記ユーザ機器に送信するためのポートの数を決定するように構成された第２の決定モジュールと、
各ノードからチャネル状態情報参照信号（ＣＳＩ−ＲＳ）構成情報を前記ユーザ機器に送信するように構成された送信モジュールであって、前記ＣＳＩ−ＲＳ構成情報が、前記第２の決定モジュールによって決定された対応するノードにおける前記ポートの前記数を備える、送信モジュールと
を備えることを特徴とする基地局。
【請求項１２】
前記第２の決定モジュールは、前記第１の決定モジュールが、前記ユーザ機器は前記集中型カバレージエリア内に配置されていると決定する場合、前記集中型カバレージエリア内でサービスを提供する前記ノードの送信機能に応じて、ダウンリンク信号を前記ユーザ機器に送信するためのポートの前記数を決定するようにさらに構成されることを特徴とする請求項１１に記載の基地局。
【請求項１３】
協調ユーザ機器のために構成され、第１の非協調ユーザ機器および第２の非協調ユーザ機器のために構成されたリソースに多重化されたリソースに応じて、前記ユーザ機器のＣＳＩ−ＲＳリソース構成シーケンス番号を決定するように構成された第３の決定モジュールであって、前記ユーザ機器は、前記協調ユーザ機器、前記第１の非協調ユーザ機器、または前記第２の非協調ユーザ機器に属し、前記協調ユーザ機器は、第１のノードと第２のノードとがサービスを提供する前記クロスカバレージエリア内に配置された前記ユーザ機器を備え、前記第１の非協調ユーザ機器は、前記第１のノードがサービスを提供する前記集中型カバレージエリア内に配置された前記ユーザ機器を備え、前記第２の非協調ユーザ機器は、前記第２のノードがサービスを提供する前記集中型カバレージエリア内に配置された前記ユーザ機器を備える第３の決定モジュールをさらに備え、
前記送信モジュールは、前記ＣＳＩ−ＲＳ構成情報を前記ユーザ機器に送信するように構成され、前記ＣＳＩ−ＲＳ構成情報が、前記第３の決定モジュールによって決定された前記ユーザ機器の前記ＣＳＩ−ＲＳリソース構成シーケンス番号をさらに備えることを特徴とする請求項１１または１２に記載の基地局。
【請求項１４】
前記ユーザ機器が前記第１の非協調ユーザ機器または前記第２の非協調ユーザ機器に属する場合、前記基地局は、
前記第１の非協調ユーザ機器のデータ信号をマッピングする場合、前記第２の非協調ユーザ機器のＣＳＩ−ＲＳを運ぶリソース要素ＲＥ上の前記第１の非協調ユーザ機器の前記データ信号の電力のためのゼロ化操作を実行するように構成されたマッピングモジュールをさらに備え、
前記マッピングモジュールは、前記第２の非協調ユーザ機器のデータ信号をマッピングする場合、前記第１の非協調ユーザ機器のＣＳＩ−ＲＳを運ぶＲＥ上の前記第２の非協調ユーザ機器の前記データ信号の電力のためのゼロ化操作を実行するようにさらに構成されることを特徴とする請求項１３に記載の基地局。
【請求項１５】
前記第２の決定モジュールが、ダウンリンク信号を前記協調ユーザ機器に送信するためのポートの前記数は４であると決定し、ダウンリンク信号を前記第１の非協調ユーザ機器および前記第２の非協調ユーザ機器に送信するためのポートの前記数は２であると決定する場合、前記協調ユーザ機器のＣＳＩ−ＲＳリソース構成シーケンス番号と、前記第１の非協調ユーザ機器および前記第２の非協調ユーザ機器のＣＳＩ−ＲＳリソース構成シーケンス番号との間の対応は表Ａに応じて決定され、
【表７】
0006374510.tif 000042
ダウンリンク信号を前記ユーザ機器に送信するために前記基地局によって使用されるフレーム構造は通常のサイクリックプリフィックスを採用することを特徴とする請求項１３に記載の基地局。
【請求項１６】
前記第２の決定モジュールが、ダウンリンク信号を前記協調ユーザ機器に送信するためのポートの前記数は４であると決定し、ダウンリンク信号を前記第１の非協調ユーザ機器および前記第２の非協調ユーザ機器に送信するためのポートの前記数は２であると決定する場合、前記協調ユーザ機器のＣＳＩ−ＲＳリソース構成シーケンス番号と、前記第１の非協調ユーザ機器および前記第２の非協調ユーザ機器のＣＳＩ−ＲＳリソース構成シーケンス番号との間の対応は表Ｂに応じて決定され、
【表８】
0006374510.tif 000043
ダウンリンク信号を前記ユーザ機器に送信するために前記基地局によって使用されるフレーム構造は通常のサイクリックプリフィックスを採用することを特徴とする請求項１３に記載の基地局。
【請求項１７】
前記第２の決定モジュールが、ダウンリンク信号を前記協調ユーザ機器に送信するためのポートの前記数は４であると決定し、ダウンリンク信号を前記第１の非協調ユーザ機器および前記第２の非協調ユーザ機器に送信するためのポートの前記数は２であると決定する場合、前記協調ユーザ機器のＣＳＩ−ＲＳリソース構成シーケンス番号と、前記第１の非協調ユーザ機器および前記第２の非協調ユーザ機器のＣＳＩ−ＲＳリソース構成シーケンス番号との間の対応は表Ｃに応じて決定され、
【表９】
0006374510.tif 000044
ダウンリンク信号を前記ユーザ機器に送信するために前記基地局によって使用されるフレーム構造は拡張されたサイクリックプリフィックスを採用することを特徴とする請求項１３に記載の基地局。
【請求項１８】
前記第２の決定モジュールが、ダウンリンク信号を前記協調ユーザ機器に送信するためのポートの前記数は４であると決定し、ダウンリンク信号を前記第１の非協調ユーザ機器および前記第２の非協調ユーザ機器に送信するためのポートの前記数は２であると決定する場合、前記協調ユーザ機器のＣＳＩ−ＲＳリソース構成シーケンス番号と、前記第１の非協調ユーザ機器および前記第２の非協調ユーザ機器のＣＳＩ−ＲＳリソース構成シーケンス番号との間の対応は表Ｄに応じて決定され、
【表１０】
0006374510.tif 000045
ダウンリンク信号を前記ユーザ機器に送信するために前記基地局によって使用されるフレーム構造は拡張されたサイクリックプリフィックスを採用することを特徴とする請求項１３に記載の基地局。
【請求項１９】
前記第２の決定モジュールが、ダウンリンク信号を前記協調ユーザ機器に送信するためのポートの前記数は８であると決定し、ダウンリンク信号を前記第１の非協調ユーザ機器および前記第２の非協調ユーザ機器に送信するためのポートの前記数は４であると決定する場合、前記協調ユーザ機器のＣＳＩ−ＲＳリソース構成シーケンス番号と、前記第１の非協調ユーザ機器および前記第２の非協調ユーザ機器のＣＳＩ−ＲＳリソース構成シーケンス番号との間の対応は表Ｅに応じて決定され、
【表１１】
0006374510.tif 000046
ダウンリンク信号を前記ユーザ機器に送信するためのフレーム構造は通常のサイクリックプリフィックスを採用することを特徴とする請求項１３に記載の基地局。
【請求項２０】
前記第２の決定モジュールが、ダウンリンク信号を前記協調ユーザ機器に送信するためのポートの前記数は８であると決定し、ダウンリンク信号を前記第１の非協調ユーザ機器および前記第２の非協調ユーザ機器に送信するためのポートの前記数は４であると決定する場合、前記協調ユーザ機器のＣＳＩ−ＲＳリソース構成シーケンス番号と、前記第１の非協調ユーザ機器および前記第２の非協調ユーザ機器のＣＳＩ−ＲＳリソース構成シーケンス番号との間の対応は表Ｆに応じて決定され、
【表１２】
0006374510.tif 000047
ダウンリンク信号を前記ユーザ機器に送信するために前記基地局によって使用されるフレーム構造は通常のサイクリックプリフィックスを採用することを特徴とする請求項１３に記載の基地局。
【発明の詳細な説明】
【技術分野】
【０００１】
本発明は、通信の分野に関し、具体的には、チャネル状態情報参照信号を構成するための方法、および基地局に関する。
【背景技術】
【０００２】
多入力多出力（Multiple Input Multiple Output、ＭＩＭＯ）技法は、無線通信システムのスペクトル効率を高めるための有効な手段の１つである。周波数分割複信（Frequency Division Duplexing、ＦＤＤ）の場合、一般に、空間多重化および受信信号の信号対雑音比の改善という目的を達成するように、送信アレイ利得を取得してストリーム間干渉抑圧を実装するために、プリコーディングは限られたフィードバック技法と組み合わされる。
【０００３】
プリコーディング行列またはベクトルは、共通パイロットまたは測定パイロットを測定することによって受信側で取得され、次いで、シグナリングを使用することによって送信側にフィードバックされる。送信側は、フィードバックされたプリコーディング行列またはベクトルに応じて、対応するＭＩＭＯ送信を実行する。
【０００４】
現在のロングタームエボリューション（Long Term Evolution、ＬＴＥ）システムの場合、端末は、チャネル状態情報参照信号（Channel State Information reference signals、ＣＳＩ−ＲＳ）と、セル固有参照信号（Cell-specific Reference Signals、ＣＲＳ）とを使用することによって、測定を実行することができる。ＬＴＥ  ＦＤＤ  Ｒ８（リリース８）プロトコルバージョンでは、端末は、ＣＲＳを使用することによって、関連するプリコーディング行列インジケータ（Precoding Matrix Indicator、ＰＭＩ）測定を実行する。Ｒ９（リリース９）以降のバージョンのプロトコルでは、復調参照信号（Demodulation Reference Signal、ＤＭＲＳ）、およびＣＳＩ−ＲＳが導入されている。ＤＭＲＳパイロットは、ユーザ機器（User Equipment、ＵＥ）固有の復調パイロットである。プリコーディングおよびビームフォーミング（Beamforming）の両方で、送信重みはＤＭＲＳパイロットによって負担されている。ＣＳＩ−ＲＳパイロットは測定パイロットであり、ＵＥが、ＰＭＩ測定とチャネル品質インジケータ（Channel Quality Indicator、ＣＱＩ）測定とを含む、ダウンリンクチャネル測定を実行するために使用される。
【０００５】
ＬＴＥプロトコルに記載されるように、ＣＳＩ−ＲＳポートの数、ＣＳＩ−ＲＳリソース構成シーケンス番号、およびＣＳＩ−ＲＳサブフレーム構成などのすべてのＣＳＩ−ＲＳ関連パラメータは、上位層シグナリングを使用することによってＵＥに送達されてよく、それはＣＳＩ−ＲＳはユーザレベル構成を受けることができることを意味する。しかしながら、プロトコルによってＣＳＩ−ＲＳの構成フォーマットに課される制限を考慮すると、ＣＳＩ−ＲＳは実際にはセルレベル構成でもある。ユーザレベルのＣＳＩ−ＲＳ構成を実装するために上位層シグナリングを導入する主な目的は、異なるプロトコルバージョンをサポートするＵＥの測定の動作を区別することである。たとえば、Ｒ８をサポートする端末とＲ１０をサポートする端末とがネットワーク内に存在する場合、Ｒ８をサポートする端末は、ＣＲＳパイロットに測定を実行することだけが必要であり、ＣＳＩ−ＲＳ構成を実行する必要はないが、Ｒ１０をサポートする端末の場合、システムの送信アンテナ数の増加に伴い、ＣＳＩ−ＲＳパイロットを導入することによってシステムオーバーヘッドが低減されてよく、したがって、そのようなタイプのＵＥの場合、ＣＳＩ−ＲＳ構成および送信を有効にする必要がある。
【０００６】
既存の従来のマクロサイトシステムと比較すると、上記の技法は比較的完全なソリューションのセットである。しかし、ＬＴＥシステムの継続的な進化に伴い、上記と同様のＣＳＩ−ＲＳ関連技法のアプリケーションは、異種ネットワーク（Hetnet）、協調マルチポイント送信（Coordinative Multiple-Point、ＣｏＭＰ）システム、および分散アンテナシステム（Distributed Antenna System、ＤＡＳ）などのシステムに、かなりの数の追加の問題を引き起こす可能性がある。
【０００７】
ＣｏＭＰシステムの場合、セル端のユーザのためにマルチセル協調の依存ＪＴ送信が実装される必要がある場合には、協調ポート間の信号同期を実装するために、２つの協調セルがユーザレベル定期調整を実装する必要があり、さらに、ＵＥは２つのセルの信号の位相差情報をフィードバックする必要があり、それはシステムフィードバックオーバーヘッドの大幅な増加を意味する。したがって、位相差情報が利用不可能である場合、独立ＪＴ送信だけが実装され得る。
【０００８】
現在の従来のＭＩＭＯ技法において、送信アンテナの所与の仕様では、システムは、ＵＥの受信アンテナの数と現在のチャンネル状態とに応じて送信ランクの数（ランクの数）を決定する。各ランクのデータの場合、送信側のすべてのアンテナは送信に参加している。従来のＭＩＭＯシステムでは、ＵＥに見える送信アンテナ数が固定され、システム内のすべてのＵＥは同じ数の送信アンテナ数を有する。送信アンテナの数が決定された後、システムは、上位層シグナリングを使用することによって、ＣＳＩ−ＲＳパイロット構成をＵＥに送達することができる。ＵＥは、それ自体のＣＳＩ−ＲＳ構成に応じて、ダウンリンクチャネル測定を実行するために対応するパイロットの位置を見つけて、測定によって取得されたＰＭＩおよびＣＱＩなどの情報を送信側にフィードバックすることができる。送信側は、フィードバックされたＰＭＩ情報に応じて対応するプリコーディング行列を選択して、ＤＭＲＳパイロットを使用することによって、データ信号とともに重み情報をＵＥに送信する。ＵＥは、データ復調のための重み情報を取得できるように、ＤＭＲＳパイロットに応じてチャネル推定を実行する。さらに、送信側はまた、現在のチャネル状態により良く適合できるように、ＣＱＩなどのＵＥによってフィードバックされた情報に応じて変調方式およびランクの数を調整することができる。
【０００９】
Ｒ１０プロトコルは、ＣＳＩ−ＲＳ構成方法およびリソースマッピング方法を提供し、また、固定数の送信アンテナの条件下で、様々なセルレベルＣＳＩ−ＲＳ構成およびリソースマッピング方法を提供する。しかしながら、サービスエリア内の端末のための、分散型小規模セル基地局システム、遠隔アンテナ、または複数の仮想セクタなどのシナリオにおける協調送信を実装するために、シングルサイト送信においてユーザによって必要とされるシステム側アンテナまたはポートの数は、協調送信においてユーザによって必要とされるものとは異なる場合があるが、既存のプロトコル標準はこのようなシナリオにおけるＣｏＭＰ技法のための対応するユーザレベルのＣＳＩ−ＲＳ構成方法を提供しない。
【発明の概要】
【課題を解決するための手段】
【００１０】
これを考慮して、本発明の実施形態は、ユーザレベルＣＳＩ−ＲＳ構成を実行することができる、チャネル状態情報参照信号を構成するための方法、および基地局を提供する。
【００１１】
第１の態様によれば、チャネル状態情報参照信号を構成するための方法が提供され、ユーザ機器の位置情報を取得するステップと、位置情報に応じて、ユーザ機器は、少なくとも２つのノードがサービスを提供するクロスカバレージエリア内、または１つのノードがサービスを提供する集中型カバレージエリア内に配置されていると決定するステップと、ユーザ機器がクロスカバレージエリア内に配置されていると決定される場合、少なくとも２つのノードの送信機能とユーザ機器の受信機能とに応じて、ダウンリンク信号をユーザ機器に送信するためのポートの数を決定するステップと、ＣＳＩ−ＲＳ構成情報をユーザ機器に送信するステップであって、ＣＳＩ−ＲＳ構成情報がポートの数を含むステップとを含む。
【００１２】
第１の態様を参照すると、第１の態様の第１の可能な実装形態方法では、ダウンリンク信号をユーザ機器に送信するためのポートの数を決定するステップは、ユーザ機器が集中型カバレージエリア内に配置されていると決定される場合、集中型カバレージエリア内でサービスを提供するノードの送信機能に応じて、ダウンリンク信号をユーザ機器に送信するためのポートの数を決定するステップを含む。
【００１３】
第１の態様、または第１の態様の第１の可能な実装形態方法を参照すると、第１の態様の第２の可能な実装形態方法では、方法は、協調ユーザ機器のために構成され、第１の非協調ユーザ機器および第２の非協調ユーザ機器のために構成されたリソースに多重化されたリソースに応じて、ユーザ機器のＣＳＩ−ＲＳリソース構成シーケンス番号を決定するステップであって、ユーザ機器は、協調ユーザ機器、第１の非協調ユーザ機器、または第２の非協調ユーザ機器に属し、協調ユーザ機器は、第１のノードと第２のノードとがサービスを提供するクロスカバレージエリア内に配置されたユーザ機器を含み、第１の非協調ユーザ機器は、第１のノードがサービスを提供する集中型カバレージエリア内に配置されたユーザ機器を含み、第２の非協調ユーザ機器は、第２のノードがサービスを提供する集中型カバレージエリア内に配置されたユーザ機器を含むステップをさらに含み、ＣＳＩ−ＲＳ構成情報をユーザ機器に送信するステップは、ＣＳＩ−ＲＳ構成情報をユーザ機器に送信するステップを含み、ＣＳＩ−ＲＳ構成情報はユーザ機器のＣＳＩ−ＲＳリソース構成シーケンス番号をさらに含む。
【００１４】
第１の態様の第２の可能な実装形態方法を参照すると、第１の態様の第３の可能な実装形態方法では、ユーザ機器が第１の非協調ユーザ機器または第２の非協調ユーザ機器に属する場合、本方法は、第１の非協調ユーザ機器のデータ信号をマッピングする場合、第２の非協調ユーザ機器のＣＳＩ−ＲＳを運ぶリソース要素ＲＥ上の第１の非協調ユーザ機器のデータ信号の電力のためのゼロ化操作を実行するステップと、第２の非協調ユーザ機器のデータ信号をマッピングする場合、第１の非協調ユーザ機器のＣＳＩ−ＲＳを運ぶＲＥ上の第２の非協調ユーザ機器のデータ信号の電力のためのゼロ化操作を実行するステップとをさらに含む。
【００１５】
第１の態様の第２の可能な実装形態方法を参照すると、第１の態様の第４の可能な実装形態方法では、ダウンリンク信号を協調ユーザ機器に送信するためのポートの数は４であると決定され、ダウンリンク信号を第１の非協調ユーザ機器および第２の非協調ユーザ機器に送信するためのポートの数は２であると決定される場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ａに応じて決定され、
【００１６】
【表１】
0006374510.tif 000002
【００１７】
ダウンリンク信号をユーザ機器に送信するためのフレーム構造は通常のサイクリックプリフィックスを採用し、タイプ１およびタイプ２に適用可能なフレーム構造である。
【００１８】
第１の態様の第２の可能な実装形態方法を参照すると、第１の態様の第５の可能な実装形態方法では、ダウンリンク信号を協調ユーザ機器に送信するためのポートの数は４であると決定され、ダウンリンク信号を第１の非協調ユーザ機器および第２の非協調ユーザ機器に送信するためのポートの数は２であると決定される場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｂに応じて決定され、
【００１９】
【表２】
0006374510.tif 000003
【００２０】
ダウンリンク信号をユーザ機器に送信するためのフレーム構造は通常のサイクリックプリフィックスを採用し、タイプ１だけに適用可能なフレーム構造である。
【００２１】
第１の態様の第２の可能な実装形態方法を参照すると、第１の態様の第６の可能な実装形態方法では、ダウンリンク信号を協調ユーザ機器に送信するためのポートの数は４であると決定され、ダウンリンク信号を第１の非協調ユーザ機器および第２の非協調ユーザ機器に送信するためのポートの数は２であると決定される場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｃに応じて決定され、
【００２２】
【表３】
0006374510.tif 000004
【００２３】
ダウンリンク信号をユーザ機器に送信するためのフレーム構造は拡張されたサイクリックプリフィックスを採用し、タイプ１およびタイプ２に適用可能なフレーム構造である。
【００２４】
第１の態様の第２の可能な実装形態方法を参照すると、第１の態様の第７の可能な実装形態方法では、ダウンリンク信号を協調ユーザ機器に送信するためのポートの数は４であると決定され、ダウンリンク信号を第１の非協調ユーザ機器および第２の非協調ユーザ機器に送信するためのポートの数は２であると決定される場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｄに応じて決定され、
【００２５】
【表４】
0006374510.tif 000005
【００２６】
ダウンリンク信号をユーザ機器に送信するためのフレーム構造は拡張されたサイクリックプリフィックスを採用し、タイプ１だけに適用可能なフレーム構造である。
【００２７】
第１の態様の第２の可能な実装形態方法を参照すると、第１の態様の第８の可能な実装形態方法では、ダウンリンク信号を協調ユーザ機器に送信するためのポートの数は８であると決定され、ダウンリンク信号を第１の非協調ユーザ機器および第２の非協調ユーザ機器に送信するためのポートの数は４であると決定される場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｅに応じて決定され、
【００２８】
【表５】
0006374510.tif 000006
【００２９】
ダウンリンク信号をユーザ機器に送信するためのフレーム構造は通常のサイクリックプリフィックスを採用し、タイプ１およびタイプ２に適用可能なフレーム構造である。
【００３０】
第１の態様の第２の可能な実装形態方法を参照すると、第１の態様の第９の可能な実装形態方法では、ダウンリンク信号を協調ユーザ機器に送信するためのポートの数は８であると決定され、ダウンリンク信号を第１の非協調ユーザ機器および第２の非協調ユーザ機器に送信するためのポートの数は４であると決定される場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｆに応じて決定され、
【００３１】
【表６】
0006374510.tif 000007
【００３２】
ダウンリンク信号をユーザ機器に送信するためのフレーム構造は通常のサイクリックプリフィックスを採用し、タイプ１だけに適用可能なフレーム構造である。
【００３３】
第１の態様の第２の可能な実装形態方法を参照すると、第１の態様の第１０の可能な実装形態方法では、ダウンリンク信号を協調ユーザ機器に送信するためのポートの数は８であると決定され、ダウンリンク信号を第１の非協調ユーザ機器および第２の非協調ユーザ機器に送信するためのポートの数は４であると決定される場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｇに応じて決定され、
【００３４】
【表７】
0006374510.tif 000008
【００３５】
ダウンリンク信号をユーザ機器に送信するためのフレーム構造は拡張されたサイクリックプリフィックスを採用し、タイプ１およびタイプ２に適用可能なフレーム構造である。
【００３６】
第１の態様の第２の可能な実装形態方法を参照すると、第１の態様の第１１の可能な実装形態方法では、ダウンリンク信号を協調ユーザ機器に送信するためのポートの数は８であると決定され、ダウンリンク信号を第１の非協調ユーザ機器および第２の非協調ユーザ機器に送信するためのポートの数は４であると決定される場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｈに応じて決定され、
【００３７】
【表８】
0006374510.tif 000009
【００３８】
ダウンリンク信号をユーザ機器に送信するためのフレーム構造は拡張されたサイクリックプリフィックスを採用し、タイプ１だけに適用可能なフレーム構造である。
【００３９】
第１の態様、または、第１の態様の第１の可能な実装形態方法から第１１の可能な実装形態方法までの可能な実装形態方法のうちのいずれかを参照すると、第１の態様の第１２の可能な実装形態方法では、基地局は、ＣＳＩ−ＲＳシーケンスの最初の値を決定するステップであって、ＣＳＩ−ＲＳシーケンスの最初の値は以下の式によって決定され、
Ｃinit＝２10・（７・（ｎs＋１）＋ｌ＋１）・（２・Ｘ＋１）＋２・Ｘ＋ＮCP
ＣinitはＣＳＩ−ＲＳシーケンスの最初の値であり、ｎsはＣＳＩ−ＲＳシーケンスが配置されているスロットの無線フレームスロット番号であり、ｌはＣＳＩ−ＲＳシーケンスが配置されている直交周波数分割多重ＯＦＤＭシンボルのイントラスロット番号であり、Ｘは負でない整数であり、ＮCPは０または１であるステップと、ＣＳＩ−ＲＳシーケンスの最初の値に応じてＣＳＩ−ＲＳを生成するステップと、ＣＳＩ−ＲＳをユーザ機器に送信するステップとをさらに含む。
【００４０】
第２の態様によれば、基地局が提供され、ユーザ機器の位置情報を取得するように構成された取得モジュールと、取得モジュールによって取得された位置情報に応じて、ユーザ機器は、少なくとも２つのノードがサービスを提供するクロスカバレージエリア内、または１つのノードがサービスを提供する集中型カバレージエリア内に配置されていると決定するように構成された第１の決定モジュールと、第１の決定モジュールが、ユーザ機器がクロスカバレージエリア内に配置されていると決定する場合、少なくとも２つのノードの送信機能とユーザ機器の受信機能とに応じて、ダウンリンク信号をユーザ機器に送信するためのポートの数を決定するように構成された第２の決定モジュールと、ＣＳＩ−ＲＳ構成情報をユーザ機器に送信するように構成された送信モジュールであって、ＣＳＩ−ＲＳ構成情報は第２の決定モジュールによって決定されたポートの数を含む、モジュールとを含む。
【００４１】
第２の態様を参照すると、第２の態様の第１の可能な実装形態方法では、第２の決定モジュールは、第１の決定モジュールが、ユーザ機器は集中型カバレージエリア内に配置されていると決定する場合、集中型カバレージエリア内でサービスを提供するノードの送信機能に応じて、ダウンリンク信号をユーザ機器に送信するためのポートの数を決定するようにさらに構成される。
【００４２】
第２の態様、または第２の態様の第１の可能な実装形態方法を参照すると、第２の態様の第２の可能な実装形態方法では、基地局は、協調ユーザ機器のために構成され、第１の非協調ユーザ機器および第２の非協調ユーザ機器のために構成されたリソースに多重化されたリソースに応じて、ユーザ機器のＣＳＩ−ＲＳリソース構成シーケンス番号を決定するように構成された第３の決定モジュールであって、ユーザ機器は、協調ユーザ機器、第１の非協調ユーザ機器、または第２の非協調ユーザ機器に属し、協調ユーザ機器は、第１のノードと第２のノードとがサービスを提供するクロスカバレージエリア内に配置されたユーザ機器を含む第３の決定モジュールをさらに含み、第１の非協調ユーザ機器は、第１のノードがサービスを提供する集中型カバレージエリア内に配置されたユーザ機器を含み、第２の非協調ユーザ機器は、第２のノードがサービスを提供する集中型カバレージエリア内に配置されたユーザ機器を含み、送信モジュールが、ＣＳＩ−ＲＳ構成情報をユーザ機器に送信するように構成され、ＣＳＩ−ＲＳ構成情報が、第３の決定モジュールによって決定されたユーザ機器のＣＳＩ−ＲＳリソース構成シーケンス番号をさらに含む。
【００４３】
第２の態様の第２の可能な実装形態方法を参照すると、第２の態様の第３の可能な実装形態方法では、ユーザ機器が第１の非協調ユーザ機器または第２の非協調ユーザ機器に属する場合、基地局は、第１の非協調ユーザ機器のデータ信号をマッピングする場合、第２の非協調ユーザ機器のＣＳＩ−ＲＳを運ぶリソース要素ＲＥ上の第１の非協調ユーザ機器のデータ信号の電力のためのゼロ化操作を実行するように構成されたマッピングモジュールをさらに含み、マッピングモジュールは、第２の非協調ユーザ機器のデータ信号をマッピングする場合、第１の非協調ユーザ機器のＣＳＩ−ＲＳを運ぶＲＥ上の第２の非協調ユーザ機器のデータ信号の電力のためのゼロ化操作を実行するようにさらに構成される。
【００４４】
第２の態様の第２の可能な実装形態方法を参照すると、第２の態様の第４の可能な実装形態方法では、第２の決定モジュールが、ダウンリンク信号を協調ユーザ機器に送信するためのポートの数は４であると決定し、ダウンリンク信号を第１の非協調ユーザ機器および第２の非協調ユーザ機器に送信するためのポートの数は２であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ａに応じて決定され、
【００４５】
【表９】
0006374510.tif 000010
【００４６】
ダウンリンク信号をユーザ機器に送信するために基地局によって使用されるフレーム構造は通常のサイクリックプリフィックスを採用し、タイプ１およびタイプ２に適用可能なフレーム構造である。
【００４７】
第２の態様の第２の可能な実装形態方法を参照すると、第２の態様の第５の可能な実装形態方法では、第２の決定モジュールが、ダウンリンク信号を協調ユーザ機器に送信するためのポートの数は４であると決定し、ダウンリンク信号を第１の非協調ユーザ機器および第２の非協調ユーザ機器に送信するためのポートの数は２であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｂに応じて決定され、
【００４８】
【表１０】
0006374510.tif 000011
【００４９】
ダウンリンク信号をユーザ機器に送信するために基地局によって使用されるフレーム構造は通常のサイクリックプリフィックスを採用し、タイプ１だけに適用可能なフレーム構造である。
【００５０】
第２の態様の第２の可能な実装形態方法を参照すると、第２の態様の第６の可能な実装形態方法では、第２の決定モジュールが、ダウンリンク信号を協調ユーザ機器に送信するためのポートの数は４であると決定し、ダウンリンク信号を第１の非協調ユーザ機器および第２の非協調ユーザ機器に送信するためのポートの数は２であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｃに応じて決定され、
【００５１】
【表１１】
0006374510.tif 000012
【００５２】
ダウンリンク信号をユーザ機器に送信するために基地局によって使用されるフレーム構造は拡張されたサイクリックプリフィックスを採用し、タイプ１およびタイプ２に適用可能なフレーム構造である。
【００５３】
第２の態様の第２の可能な実装形態方法を参照すると、第２の態様の第７の可能な実装形態方法では、第２の決定モジュールが、ダウンリンク信号を協調ユーザ機器に送信するためのポートの数は４であると決定し、ダウンリンク信号を第１の非協調ユーザ機器および第２の非協調ユーザ機器に送信するためのポートの数は２であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｄに応じて決定され、
【００５４】
【表１２】
0006374510.tif 000013
【００５５】
ダウンリンク信号をユーザ機器に送信するために基地局によって使用されるフレーム構造は拡張されたサイクリックプリフィックスを採用し、タイプ１だけに適用可能なフレーム構造である。
【００５６】
第２の態様の第２の可能な実装形態方法を参照すると、第２の態様の第８の可能な実装形態方法では、第２の決定モジュールが、ダウンリンク信号を協調ユーザ機器に送信するためのポートの数は８であると決定し、ダウンリンク信号を第１の非協調ユーザ機器および第２の非協調ユーザ機器に送信するためのポートの数は４であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｅに応じて決定され、
【００５７】
【表１３】
0006374510.tif 000014
【００５８】
ダウンリンク信号をユーザ機器に送信するためのフレーム構造は通常のサイクリックプリフィックスを採用し、タイプ１およびタイプ２に適用可能なフレーム構造である。
【００５９】
第２の態様の第２の可能な実装形態方法を参照すると、第２の態様の第９の可能な実装形態方法では、第２の決定モジュールが、ダウンリンク信号を協調ユーザ機器に送信するためのポートの数は８であると決定し、ダウンリンク信号を第１の非協調ユーザ機器および第２の非協調ユーザ機器に送信するためのポートの数は４であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｆに応じて決定され、
【００６０】
【表１４】
0006374510.tif 000015
【００６１】
ダウンリンク信号をユーザ機器に送信するために基地局によって使用されるフレーム構造は通常のサイクリックプリフィックスを採用し、タイプ１だけに適用可能なフレーム構造である。
【００６２】
第２の態様の第２の可能な実装形態方法を参照すると、第２の態様の第１０の可能な実装形態方法では、第２の決定モジュールが、ダウンリンク信号を協調ユーザ機器に送信するためのポートの数は８であると決定し、ダウンリンク信号を第１の非協調ユーザ機器および第２の非協調ユーザ機器に送信するためのポートの数は４であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｇに応じて決定され、
【００６３】
【表１５】
0006374510.tif 000016
【００６４】
ダウンリンク信号をユーザ機器に送信するために基地局によって使用されるフレーム構造は拡張されたサイクリックプリフィックスを採用し、タイプ１およびタイプ２に適用可能なフレーム構造である。
【００６５】
第２の態様の第２の可能な実装形態方法を参照すると、第２の態様の第７の可能な実装形態方法では、第２の決定モジュールが、ダウンリンク信号を協調ユーザ機器に送信するためのポートの数は８であると決定し、ダウンリンク信号を第１の非協調ユーザ機器および第２の非協調ユーザ機器に送信するためのポートの数は４であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｈに応じて決定され、
【００６６】
【表１６】
0006374510.tif 000017
【００６７】
ダウンリンク信号をユーザ機器に送信するために基地局によって使用されるフレーム構造は拡張されたサイクリックプリフィックスを採用し、タイプ１だけに適用可能なフレーム構造である。
【００６８】
第２の態様、または、第２の態様の第１の可能な実装形態方法から第１１の可能な実装形態方法までの可能な実装形態方法のうちのいずれかを参照すると、第２の態様の第１２の可能な実装形態方法では、基地局は、ＣＳＩ−ＲＳシーケンスの最初の値を決定するように構成された第４の決定モジュールであって、ＣＳＩ−ＲＳシーケンスの最初の値は以下の式によって決定され、
Ｃinit＝２10・（７・（ｎs＋１）＋ｌ＋１）・（２・Ｘ＋１）＋２・Ｘ＋ＮCP
ＣinitはＣＳＩ−ＲＳシーケンスの最初の値であり、ｎsはＣＳＩ−ＲＳシーケンスが配置されているスロットの無線フレームスロット番号であり、ｌはＣＳＩ−ＲＳシーケンスが配置されている直交周波数分割多重ＯＦＤＭシンボルのイントラスロット番号であり、Ｘは負でない整数であり、ＮCPは０または１である第４の決定モジュールと、第４の決定モジュールによって決定されたＣＳＩ−ＲＳシーケンスの最初の値に応じてＣＳＩ−ＲＳを生成するように構成された生成モジュールとをさらに含み、送信モジュールは、生成モジュールによって生成されたＣＳＩ−ＲＳをユーザ機器に送信するようにさらに構成される。
【００６９】
上記の技術的ソリューションに基づいて、チャネル状態情報参照信号を構成する方法では、また、本発明の実施形態による基地局は、ユーザ機器がクロスカバレージエリア内に配置されていると決定される場合、ダウンリンク信号をユーザ機器に送信するためのポートの数はユーザ機器にクロスカバレージエリアを提供する少なくとも２つのノードの送信機能とユーザ機器の受信機能とに応じて決定され、システム内の異なるユーザ機器のために異なる数の送信アンテナが構成されるようになり、スループットをさらに改善して、カバレージおよびユーザ体験を向上させることができるようになる。
【図面の簡単な説明】
【００７０】
本発明の実施形態における技術的ソリューションをより明確に説明するために、以下で、本発明の実施形態を説明するために必要な添付の図面を簡単に紹介する。以下の説明における添付の図面は本発明のいくつかの実施形態を示すにすぎず、当業者は依然として、これらの添付図面に応じて創造的努力なしに他の図面を導き出すことができることは明らかである。
【００７１】
【図１】本発明の実施形態による、ＣＳＩ−ＲＳを構成するための方法のアプリケーションシナリオの概略図である。
【図２】本発明の実施形態による、ＣＳＩ−ＲＳを構成するための方法の概略フローチャートである。
【図３】本発明の実施形態による、ＣＳＩ−ＲＳを構成するための方法の別の概略フローチャートである。
【図４】本発明の実施形態による、ＲＥマッピング効果の概略図である。
【図５】本発明の実施形態による、ＣＳＩ−ＲＳを構成するための方法の別の概略フローチャートである。
【図６】本発明の実施形態による、ＣＳＩ−ＲＳマッピング図の概略図である。
【図７】本発明の実施形態による、ＲＥマッピング効果の別の概略図である。
【図８】本発明の実施形態による、ＣＳＩ−ＲＳマッピング図の別の概略図である。
【図９】本発明の実施形態による、ＣＳＩ−ＲＳを構成するための方法の別の概略フローチャートである。
【図１０】本発明の実施形態による、基地局の概略ブロック図である。
【図１１】本発明の実施形態による、基地局の別の概略ブロック図である。
【図１２】本発明の実施形態による、基地局の別の概略ブロック図である。
【図１３】本発明の別の実施形態による、基地局の概略ブロック図である。
【発明を実施するための形態】
【００７２】
以下は、本発明の実施形態における添付の図面を参照して、本発明の実施形態における技術的ソリューションを明確かつ完全に説明している。説明される実施形態は、本発明の実施形態のすべてではなく、その一部であることは明らかである。本発明の実施形態に基づいて、創造的努力なしに当業者によって得られる他のすべての実施形態は、本発明の保護範囲内に入るものとする。
【００７３】
本発明の実施形態における技術的ソリューションは、たとえば、グローバルシステムフォーモバイルコミュニケーションズ（Global System of Mobile communication、ＧＳＭ（登録商標））、符号分割多元接続（Code Division Multiple Access、ＣＤＭＡ）システム、広帯域符号分割多元接続（Wideband Code Division Multiple Access、ＷＣＤＭＡ（登録商標））システム、汎用パケット無線サービス（General Packet Radio Service、ＧＰＲＳ）、ロングタームエボリューション（Long Term Evolution、ＬＴＥ）システム、ＬＴＥ周波数分割複信（Frequency Division Duplex、ＦＤＤ）システム、ＬＴＥ時分割複信（Time Division Duplex、ＴＤＤ）システム、ユニバーサル移動体通信システム（Universal Mobile Telecommunication System、ＵＭＴＳ）、およびワールドワイドインターオペラビリティフォーマイクロウェーブアクセス（Worldwide Interoperability for Microwave Access、ＷｉＭＡＸ）通信システムなどの、様々な通信システムに適用可能であることが理解されるべきである。
【００７４】
本発明の実施形態では、端末機器（Terminal Equipment）は、端末（Terminal）、ユーザ機器（User Equipment、ＵＥ）、移動局（Mobile Station、ＭＳ）、モバイル端末（Mobile Terminal）、または同様のものと呼ばれてよく、端末機器は、無線アクセスネットワーク（Radio Access Network、ＲＡＮ）を介して１または複数のコアネットワークと通信することができる。たとえば、端末機器はモバイル電話（または、「セルラー」電話と呼ばれる）でもよく、モバイル端末を備えたコンピュータでもよく、端末機器はまた、ポータブル、ポケットサイズ、ハンドヘルド、コンピュータ内蔵、または車両搭載のモバイル装置でもよい。それらは、無線アクセスネットワークと音声および／またはデータを交換する。
【００７５】
本発明の実施形態では、基地局は、ＧＳＭまたはＣＤＭＡ内の基地局（Base Transceiver Station、ＢＴＳ）でもよく、ＷＣＤＭＡ内の基地局（NodeＢ、ＮＢ）でもよく、また、ＬＴＥ内の発展型基地局（Evolutional NodeＢ、ｅＮＢ）でもよく、本発明では限定されないことがさらに理解されるべきである。しかしながら、説明を簡単にするために、以下の実施形態は説明のための例としてｅＮＢを使用する。
【００７６】
図１は、本発明の実施形態による、ＣＳＩ−ＲＳを構成するための方法のアプリケーションシナリオを示している。図１に示される通信システムでは、通信システムは、マクロサイトおよび複数の分散型小規模セル基地局を含んでもよく、複数の遠隔アンテナユニットを含んでもよく、複数の仮想セクタなどを含んでもよく、マクロサイトは、エリア内のすべての分散型小規模セル基地局、アンテナユニット、または仮想セクタのための集中制御および共同スケジューリングを実行する。
【００７７】
たとえば、図１に示されるように、通信システムは、複数のノードＰ０、Ｐ１、・・・ＰＮを含む。そのようなノードは同じ基地局Ｍ０の下に配置されており、すべてのノードは同じ物理セル識別子（ＩＤ）を使用して、それらのそれぞれは送信するために２つのアンテナを使用すると仮定される。ＵＥ０は基地局Ｍ０がサービスを提供する集中型カバレージエリア内に配置されており、ＵＥ１はノードＰ０がサービスを提供する集中型カバレージエリア内に配置されており、ＵＥ２は基地局Ｍ０およびノードＰ０が共同でサービスを提供するクロスカバレージエリア内に配置されている。クロスカバレージエリア内に配置されたＵＥ２の場合、通信システムは、信号を強化して同一チャネル干渉を除去するために、基地局およびノードの協調送信モードに切り替えることができる。
【００７８】
本発明の実施形態によるＣＳＩ−ＲＳを構成するための方法は、図１に示されるアプリケーションシナリオを例として使用することによって説明されるが、本発明はそれに限定されないことが理解されるべきである。本方法は、クロスカバレージエリアと集中型カバレージエリアとを有する他のシステムにも適用され得る。
【００７９】
図２は、本発明の実施形態による、ＣＳＩ−ＲＳを構成するための方法１００の概略フローチャートである。方法１００はネットワークデバイスによって実行されてよく、ネットワークデバイスは、基地局またはマクロサイトなどの、ＣＳＩ−ＲＳ構成機能を実装するために使用されるエンティティである。本発明の実施形態は、ネットワークデバイスの特定の形態を限定しない。
【００８０】
図２に示されるように、方法１００は以下を含む。  
Ｓ１１０：ユーザ機器の位置情報を取得する。  
Ｓ１２０：位置情報に応じて、ユーザ機器は、少なくとも２つのノードがサービスを提供するクロスカバレージエリア内、または１つのノードがサービスを提供する集中型カバレージエリア内に配置されていると決定する。  
Ｓ１３０：ユーザ機器がクロスカバレージエリア内に配置されていると決定される場合、少なくとも２つのノードの送信機能とユーザ機器の受信機能とに応じて、ダウンリンク信号をユーザ機器に送信するためのポートの数を決定する。  
Ｓ１４０：ＣＳＩ−ＲＳ構成情報をユーザ機器に送信し、ＣＳＩ−ＲＳ構成情報はポートの数を含む。
【００８１】
具体的には、ネットワークデバイスは、ユーザ機器の位置情報を取得するためにユーザ機器を配置することができる。このようにして、ネットワークデバイスは、ユーザ機器がクロスカバレージエリア内に配置されているか、または集中型カバレージエリア内に配置されているかを決定することができる。ユーザ機器がクロスカバレージエリア内に配置されていると決定される場合、ネットワークデバイスは、クロスカバレージエリアを提供する少なくとも２つのノードの送信機能とユーザ機器の受信機能とに応じて、ダウンリンク信号をユーザ機器に送信するためのポートの数を決定する、すなわちネットワークデバイスの送信アンテナの数を決定することができ、ポートの数を含むＣＳＩ−ＲＳ構成情報をユーザ機器に送信することができる。
【００８２】
したがって、本発明の実施形態によるチャネル状態情報参照信号を構成するための方法では、ユーザ機器がクロスカバレージエリア内に配置されていると決定される場合、ダウンリンク信号をユーザ機器に送信するためのポートの数はユーザ機器にクロスカバレージエリアを提供する少なくとも２つのノードの送信機能とユーザ機器の受信機能とに応じて決定され、システム内の異なるユーザ機器のために異なる数の送信アンテナが構成されるようになり、スループットをさらに改善して、カバレージおよびユーザ体験を向上させることができるようになる。
【００８３】
さらに、本発明の実施形態によるチャネル状態情報参照信号を構成するための方法は、２Ｔ／４Ｔ／８Ｔ送信と、ユーザ機器の信号カバレージ条件およびユーザ機器の最大処理機能に応じた８ランク信号送信との共存を実装できるようにするために、システムが、ＰＭＩおよびＣＱＩ情報などの、マルチポイント協調ノードの共同ダウンリンクチャネル情報を取得することを可能にする。さらに、本方法は、セル間に重大な干渉（仮想セクタまたは物理セクタ）を有するエリアを、協調マルチストリーム送信が実行されてよくチャネル状態が良好であるエリアに変換することができる。
【００８４】
本発明の実施形態では、ポートの数を含むＣＳＩ−ＲＳ構成情報を受信した後、ユーザ機器は、ＣＳＩ−ＲＳ構成情報に応じて対応するパイロット位置を決定することができ、また、対応するダウンリンクチャネル測定を実行することができることが理解されるべきである。このようにして、ユーザ機器はネットワークデバイスへの測定によって取得されたＰＭＩおよびＣＱＩなどの情報をフィードバックすることができる。ネットワークデバイスは、ユーザ機器が重みに応じてデータを変調できるようにするために、ユーザ機器によってフィードバックされた測定情報に応じて、対応するプリコーディング行列を選択して、重みをユーザ機器に送信することができる。
【００８５】
本発明の実施形態では、ネットワークデバイスは、ノードのアップリンク受信電力または経路損失としきい値との大小関係に応じて、ユーザ機器がノードのカバレージエリア内に配置されているかどうかを決定することができる。たとえば、ネットワークデバイスは、ユーザ機器のアップリンクサウンディング参照信号（Sounding Reference Signal、ＳＲＳ）を受信して、アップリンク受信電力または経路損失を決定することができる。たとえば、データのアップリンク受信電力、またはユーザ機器からノードによって受信された信号が第１のしきい値を上回る場合、ユーザ機器はノードのカバレージエリア内に配置されており、そうではない場合、ユーザ機器はノードのカバレージエリアの外側に配置されていると決定され得る。たとえば、データの経路損失、またはユーザ機器からノードによって受信された信号が第２のしきい値未満である場合、ユーザ機器はノードのカバレージエリア内に配置されており、そうではない場合、ユーザ機器はノードのカバレージエリアの外側に配置されていると決定され得る。このようにして、ユーザ機器が、少なくとも２つのノードがサービスを提供するクロスカバレージエリア内に配置されているか、または１つのノードがサービスを提供する集中型カバレージエリア内に配置されているかが決定され得る。
【００８６】
本発明の実施形態では、ネットワークデバイスはまた、ノードからユーザ機器によって受信された信号の受信電力または経路損失としきい値との間の大小関係に応じて、ユーザ機器がノードのカバレージエリア内に配置されているかどうかを決定することができるが、本発明の実施形態はそれに限定されないことが理解されるべきである。本発明の実施形態では、クロスカバレージエリアは少なくとも２つのノードがユーザ機器にサービスを提供するエリアを指し、すなわち、クロスカバレージエリアでは少なくとも２つのノードがユーザ機器に通信サービスを提供し、したがって、クロスカバレージエリアはマルチノードカバレージエリアと呼ばれてもよく、また、集中型カバレージエリアは１つのノードがユーザ機器に通信サービスを提供するエリアを指し、すなわち、集中型カバレージエリアでは１つだけのノードがユーザ機器に通信サービスを提供し、したがって集中型カバレージエリアはシングルノードカバレージエリアと呼ばれてもよいことがさらに理解されるべきである。
【００８７】
本発明の実施形態では、任意で、ダウンリンク信号をユーザ機器に送信するためのポートの数を決定するステップは、ユーザ機器は集中型カバレージエリア内に配置されていると決定される場合、集中型カバレージエリア内でサービスを提供するノードの送信機能に応じて、ダウンリンク信号をユーザ機器に送信するためのポートの数を決定するステップを含む。
【００８８】
具体的には、本発明の実施形態では、ネットワークデバイスは、ユーザ機器の位置情報に応じて、ユーザ機器がクロスカバレージエリア内に配置されているか、集中型カバレージエリア内に配置されているかどうかを決定することができ、ユーザ機器がクロスカバレージエリア内に配置されている場合、ネットワークデバイスは、クロスカバレージエリアを提供するノードの送信機能とユーザ機器の受信機能とに応じて、ダウンリンク信号をユーザ機器に送信するためにネットワークデバイスによって使用されるポートの数を決定する。たとえば、ネットワークデバイスは、ユーザ機器のために４ポート（Port）送信ポートと４ポートＣＳＩ−ＲＳ構成とを構成し、それはシステムが４ストリームの最大送信機能を有し、非協調２Ｔ送信の利得空間よりも大きい利得空間を提供することを意味する。ユーザ機器が集中型カバレージエリア内に配置されている場合、ネットワークデバイスは、集中型カバレージエリアを提供する１つのノードの送信機能に応じて、ダウンリンク信号をユーザ機器に送信するためにネットワークデバイスによって使用されるポートの数を決定する。たとえば、集中型カバレージエリア内に配置されているユーザの場合、本システムは、ユーザのために２ポート送信ポートと２ポートＣＳＩ−ＲＳ構成とを構成する。
【００８９】
本発明の実施形態では、ノードの送信機能は、ノードによってサポートされ得る最大数の送信アンテナまたは最大数のランクを含み、ユーザ機器の受信機能は、ユーザ機器によってサポートされ得る最大数の受信アンテナまたは最大数のランクを含むが、本発明の実施形態はそれに限定されないことが理解されるべきである。
【００９０】
本発明の実施形態によるユーザレベルのＣＳＩ−ＲＳ構成方法では、協調送信ユーザ機器のために構成されたＣＳＩ−ＲＳリソースは、非協調送信ユーザ機器のために構成されたＣＳＩ−ＲＳリソースに完全に多重化され得る。このようにして、システム全体のＣＳＩ−ＲＳオーバーヘッドは制御されてよく、ＣＳＩ−ＲＳオーバーヘッドの大幅な増加が回避され、リソース利用が向上される。
【００９１】
具体的には、本発明の実施形態では、任意で、図３に示されるように、方法１００は以下をさらに含む。  
Ｓ１５０：協調ユーザ機器のために構成され、第１の非協調ユーザ機器および第２の非協調ユーザ機器のために構成されたリソースに多重化されたリソースに応じて、ユーザ機器のＣＳＩ−ＲＳリソース構成シーケンス番号を決定し、ユーザ機器は、協調ユーザ機器、第１の非協調ユーザ機器、または第２の非協調ユーザ機器に属し、協調ユーザ機器は、第１のノードと第２のノードとがサービスを提供するクロスカバレージエリア内に配置されたユーザ機器を含み、第１の非協調ユーザ機器は、第１のノードがサービスを提供する集中型カバレージエリア内に配置されたユーザ機器を含み、第２の非協調ユーザ機器は、第２のノードがサービスを提供する集中型カバレージエリア内に配置されたユーザ機器を含む。
【００９２】
ユーザ機器にＣＳＩ−ＲＳ構成情報を送信するステップは、以下を含む。  
Ｓ１４１：ＣＳＩ−ＲＳ構成情報をユーザ機器に送信し、ＣＳＩ−ＲＳ構成情報はユーザ機器のＣＳＩ−ＲＳリソース構成シーケンス番号を含む。
【００９３】
以下で、図１に示されるアプリケーションシナリオを例として使用して説明が与えられる。集中型カバレージエリア内に配置されたＵＥ０およびＵＥ１の場合、ＵＥ０に通信サービスを提供するアンテナノードＭ０と、ＵＥ１に通信サービスを提供するアンテナノードＰ０との両方は、送信のために２ポートを使用し、ＵＥ０とＵＥ１は受信のために２ポートを使用する。クロスカバレージエリア内に配置されたＵＥ２の場合、クロスカバレージエリアを提供する２つの対応するアンテナノードＭ０およびＰ０のそれぞれは送信のために２ポートを使用し、ＵＥ２は受信および送信のために４ポートを使用する。
【００９４】
対応するチャネル測定を実行するために、ネットワークデバイスは、ＵＥごとに対応するＣＳＩ−ＲＳリソース構成スキームを指定する必要がある。我々はここに、上記のマルチポート送信機能要件を満たし、リソース要素（Ｒｅｓｏｕｒｃｅ  Ｅｌｅｍｅｎｔ、ＲＥ）を節約することができる、ＣＳＩ−ＲＳリソース構成スキームを提案する。特定の実装形態は、協調ユーザ機器のために構成されたリソースが、第１の非協調ユーザ機器および第２の非協調ユーザ機器のために構成されたリソースに多重化されることであり得る。たとえば、図４に示されるように、リソース構成スキームを使用することによって、ＵＥ０は１５および１６と番号を振られた２つのポートを２パイロットＲＥにマッピングすることができ、ＵＥ１は１５および１６と番号を振られた２つのポートを他のパイロットＲＥにマッピングすることができ、４ポートを使用するＵＥ２は１５、１６、１７、および１８と番号を振られた４つのポートをＵＥ０およびＵＥ１で多重化された４パイロットＲＥにマッピングすることができ、それによってＲＥリソース多重化を実装する。
【００９５】
したがって、本発明の実施形態によるチャネル状態情報参照信号を構成するための方法では、ユーザ機器がクロスカバレージエリア内に配置されていると決定される場合、ダウンリンク信号をユーザ機器に送信するためのポートの数はユーザ機器にクロスカバレージエリアを提供する少なくとも２つのノードの送信機能とユーザ機器の受信機能とに応じて決定され、システム内の異なるユーザ機器のために異なる数の送信アンテナが構成されるようになり、スループットをさらに改善して、カバレージおよびユーザ体験を向上させることができるようになる。
【００９６】
さらに、本発明の実施形態によるチャネル状態情報参照信号を構成するための方法では、協調ユーザ機器のために構成されたリソースは、非協調ユーザ機器のために構成されたリソースに多重化される。このようにして、システムのＣＳＩ−ＲＳパイロットオーバーヘッドは節約されてよく、システムのリソース利用は向上されてよく、ユーザ体験はさらに向上され得る。
【００９７】
本発明の実施形態では、ＣＳＩ−ＲＳはセルレベルパイロットであるので、構成スキームに応じてＵＥによって使用されないパイロットＲＥ位置は通常の共有ＲＥとして扱われ得る。しかしながら、ＲＥ位置における他のユーザのＣＳＩ−ＲＳ情報の上書きを回避するために、ＲＥ位置にどのデータ信号も配置されるべきではない。１つのソリューションは、ｅＮＢがＲＥ位置を通常の共有ＲＥとして扱う場合、ｅＮＢがフレーミング前にＲＥ位置のデータ信号のために電力ゼロ化操作を実行することである。受信および復調において、ＵＥはＲＥ位置におけるパイロット信号を復号のための通常データとして扱い、ビットエラーが発生し得る。しかしながら、ＣＳＩ−ＲＳはまばらであるためビットエラーレートへの影響は小さく、エラー訂正復号機能を使用することによって正確なデータが取得され得る。
【００９８】
したがって、本発明の実施形態では、図５に示されるように、任意で、ユーザ機器が第１の非協調ユーザ機器または第２の非協調ユーザ機器に属する場合、方法１００は以下をさらに含む。
【００９９】
Ｓ１６１：第１の非協調ユーザ機器のデータ信号をマッピングする場合、第２の非協調ユーザ機器のＣＳＩ−ＲＳを運ぶリソース要素ＲＥ上の第１の非協調ユーザ機器のデータ信号の電力のためのゼロ化操作を実行する。
【０１００】
Ｓ１６２：第２の非協調ユーザ機器のデータ信号をマッピングする場合、第１の非協調ユーザ機器のＣＳＩ−ＲＳを運ぶＲＥ上の第２の非協調ユーザ機器のデータ信号の電力のためのゼロ化操作を実行する。
【０１０１】
本発明の実施形態では、協調ユーザ機器、第１の非協調ユーザ機器、および第２の非協調ユーザ機器のための適切なＣＳＩ−ＲＳリソースを設定することによって、協調ユーザ機器のＣＳＩ−ＲＳリソースが第１の非協調ユーザ機器および第２の非協調ユーザ機器のＣＳＩ−ＲＳリソースに多重化される。以下で、ダウンリンク信号をユーザ機器に送信するために基地局によって使用されるフレーム構造、およびポートの数などの情報を参照して、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応を具体的に説明する。
【０１０２】
本発明の実施形態では、任意で、ダウンリンク信号を協調ユーザ機器に送信するためのポートの数は４であると決定され、ダウンリンク信号を第１の非協調ユーザ機器および第２の非協調ユーザ機器に送信するためのポートの数は２であると決定される場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ａに応じて決定され、
【０１０３】
【表１７】
0006374510.tif 000018
【０１０４】
ダウンリンク信号をユーザ機器に送信するためのフレーム構造は、通常の（ｎｏｒｍａｌ）サイクリックプリフィックス（Ｃｙｃｌｉｃ  Ｐｒｅｆｉｘ、ＣＰ）を採用し、タイプ１（ｔｙｐｅ  １）およびタイプ２（ｔｙｐｅ  ２）に適用可能なフレーム構造である。
【０１０５】
以下で、やはり図１に示されるアプリケーションシナリオを例として使用して説明が与えられる。表Ａは、通常のＣＰを採用し、タイプ１およびタイプ２に適用可能であるフレーム構造を説明している。例として第１の行の構成を使用すると、ＵＥ０によって使用されるＣＳＩ−ＲＳリソース構成シーケンス番号は０であり（ＣＳＩ−ＲＳ  ｃｏｎｆｉｇ  ０）、ＵＥ１によって使用されるＣＳＩ−ＲＳリソース構成シーケンス番号は１０であり（ＣＳＩ−ＲＳ  ｃｏｎｆｉｇ  １０）、ＵＥ２によって使用されるＣＳＩ−ＲＳリソース構成シーケンス番号は０である（ＣＳＩ−ＲＳ  ｃｏｎｆｉｇ  ０）。ＣＳＩ−ＲＳシーケンス計算式によると、それぞれのＵＥのＣＳＩ−ＲＳからＲＥにマッピングされる位置（ｋ、ｌ）が取得され得る。以下の表１に示されるように、ｎsはパイロットが配置されるスロット（ｓｌｏｔ）の無線フレームスロット番号を示し、１５および１６と番号が振られたポートならびに１７および１８と番号が振られたポートは符号分割多重を採用する。
【０１０６】
【表１８】
0006374510.tif 000019
【０１０７】
図６に示されるＣＳＩ−ＲＳマッピング図は表１に応じて取得されてよく、ＣＳＩ−ＲＳリソースは余分なシステムオーバーヘッドを増加させることなしに完全に多重化される。
【０１０８】
本発明の実施形態では、任意で、ダウンリンク信号を協調ユーザ機器に送信するためのポートの数は４であると決定され、ダウンリンク信号を第１の非協調ユーザ機器および第２の非協調ユーザ機器に送信するためのポートの数は２であると決定される場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｂに応じて決定され、
【０１０９】
【表１９】
0006374510.tif 000020
【０１１０】
ダウンリンク信号をユーザ機器に送信するためのフレーム構造は通常のサイクリックプリフィックスを採用し、タイプ１だけに適用可能なフレーム構造である。
【０１１１】
本発明の実施形態では、任意で、ダウンリンク信号を協調ユーザ機器に送信するためのポートの数は４であると決定され、ダウンリンク信号を第１の非協調ユーザ機器および第２の非協調ユーザ機器に送信するためのポートの数は２であると決定される場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｃに応じて決定され、
【０１１２】
【表２０】
0006374510.tif 000021
【０１１３】
ダウンリンク信号をユーザ機器に送信するためのフレーム構造は拡張されたサイクリックプリフィックス（Ｅｘｔｅｎｄｅｄ  ＣＰ）を採用し、タイプ１およびタイプ２に適用可能なフレーム構造である。
【０１１４】
本発明の実施形態では、任意で、ダウンリンク信号を協調ユーザ機器に送信するためのポートの数は４であると決定され、ダウンリンク信号を第１の非協調ユーザ機器および第２の非協調ユーザ機器に送信するためのポートの数は２であると決定される場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｄに応じて決定され、
【０１１５】
【表２１】
0006374510.tif 000022
【０１１６】
ダウンリンク信号をユーザ機器に送信するためのフレーム構造は拡張されたサイクリックプリフィックスを採用し、タイプ１だけに適用可能なフレーム構造である。
【０１１７】
したがって、本発明の実施形態によるチャネル状態情報参照信号を構成するための方法では、ユーザ機器がクロスカバレージエリア内に配置されていると決定される場合、ダウンリンク信号をユーザ機器に送信するためのポートの数はユーザ機器にクロスカバレージエリアを提供する少なくとも２つのノードの送信機能とユーザ機器の受信機能とに応じて決定され、システム内の異なるユーザ機器のために異なる数の送信アンテナが構成されるようになり、スループットをさらに改善して、カバレージおよびユーザ体験を向上させることができるようになる。
【０１１８】
本発明の実施形態では、シングルノードが４Ｔ送信を実行するネットワークの場合、ユーザレベル４／８−ポート（Port）協調自己組織化ＭＩＭＯ送信が実装されてよく、その基本処理は上記の実施形態と同様である。さらに、４／８−ポート自己組織化送信の場合、ＲＥリソースを節約することができる同様のＣＳＩ−ＲＳ構成スキームもまた提案され得る。たとえば、図７に示されるように、たとえばリソース構成スキームを使用することによって、ＵＥ０は１５、１６、１７、および１８と番号を振られた４つのポートを４パイロットＲＥにマッピングすることができ、ＵＥ１は１５、１６、１７、および１８と番号を振られた４つのポートを他の４パイロットＲＥにマッピングすることができ、８ポートを使用するＵＥ２は１５〜２２と番号を振られた８つのポートをＵＥ０およびＵＥ１で多重化された８パイロットＲＥにマッピングすることができ、それによってＲＥリソース多重化を実装する。
【０１１９】
具体的には、本発明の実施形態では、任意で、ダウンリンク信号を協調ユーザ機器に送信するためのポートの数は８であると決定され、ダウンリンク信号を第１の非協調ユーザ機器および第２の非協調ユーザ機器に送信するためのポートの数は４であると決定される場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｅに応じて決定され、
【０１２０】
【表２２】
0006374510.tif 000023
【０１２１】
ダウンリンク信号をユーザ機器に送信するためのフレーム構造は通常のサイクリックプリフィックスを採用し、タイプ１およびタイプ２に適用可能なフレーム構造である。
【０１２２】
以下で、やはり図１に示されるアプリケーションシナリオを例として使用して説明が与えられる。表Ｅは、通常のＣＰを採用し、タイプ１およびタイプ２に適用可能であるフレーム構造を説明している。例として第１の行の構成を使用すると、４ポート受信機能を有するＵＥ０によって使用されるＣＳＩ−ＲＳリソース構成シーケンス番号は０であり（ＣＳＩ−ＲＳ  ｃｏｎｆｉｇ  ０）、４ポート受信機能を有するＵＥ１によって使用されるＣＳＩ−ＲＳリソース構成シーケンス番号は５であり（ＣＳＩ−ＲＳ  ｃｏｎｆｉｇ  ５）、８ポート受信機能を有するＵＥ２によって使用されるＣＳＩ−ＲＳリソース構成シーケンス番号は０である（ＣＳＩ−ＲＳ  ｃｏｎｆｉｇ  ０）。ＣＳＩ−ＲＳシーケンス計算式によると、それぞれのＵＥのＣＳＩ−ＲＳからＲＥにマッピングされる位置（ｋ、ｌ）が取得される。以下の表２に示されるように、ｎsはパイロットが配置されるスロット（ｓｌｏｔ）の無線フレームスロット番号を示し、１５および１６と番号が振られたポート、１７および１８と番号が振られたポート、１９および２０と番号が振られたポート、ならびに２１および２２と番号が振られたポートは符号分割多重を採用する。
【０１２３】
【表２３】
0006374510.tif 000024
【０１２４】
図８に示されるＣＳＩ−ＲＳマッピング図は表２に応じて取得されてよく、ＣＳＩ−ＲＳリソースは余分なシステムオーバーヘッドを増加させることなしに完全に多重化される。
【０１２５】
本発明の実施形態では、任意で、ダウンリンク信号を協調ユーザ機器に送信するためのポートの数は８であると決定され、ダウンリンク信号を第１の非協調ユーザ機器および第２の非協調ユーザ機器に送信するためのポートの数は４であると決定される場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｆに応じて決定され、
【０１２６】
【表２４】
0006374510.tif 000025
【０１２７】
ダウンリンク信号をユーザ機器に送信するためのフレーム構造は通常のサイクリックプリフィックスを採用し、タイプ１だけに適用可能なフレーム構造である。
【０１２８】
本発明の実施形態では、任意で、ダウンリンク信号を協調ユーザ機器に送信するためのポートの数は８であると決定され、ダウンリンク信号を第１の非協調ユーザ機器および第２の非協調ユーザ機器に送信するためのポートの数は４であると決定される場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｇに応じて決定され、
【０１２９】
【表２５】
0006374510.tif 000026
【０１３０】
ダウンリンク信号をユーザ機器に送信するためのフレーム構造は拡張されたサイクリックプリフィックスを採用し、タイプ１およびタイプ２に適用可能なフレーム構造である。
【０１３１】
本発明の実施形態では、任意で、ダウンリンク信号を協調ユーザ機器に送信するためのポートの数は８であると決定され、ダウンリンク信号を第１の非協調ユーザ機器および第２の非協調ユーザ機器に送信するためのポートの数は４であると決定される場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｈに応じて決定され、
【０１３２】
【表２６】
0006374510.tif 000027
【０１３３】
ダウンリンク信号をユーザ機器に送信するためのフレーム構造は拡張されたサイクリックプリフィックスを採用し、タイプ１だけに適用可能なフレーム構造である。
【０１３４】
したがって、本発明の実施形態によるチャネル状態情報参照信号を構成するための方法では、ユーザ機器がクロスカバレージエリア内に配置されていると決定される場合、ダウンリンク信号をユーザ機器に送信するためのポートの数はユーザ機器にクロスカバレージエリアを提供する少なくとも２つのノードの送信機能とユーザ機器の受信機能とに応じて決定され、システム内の異なるユーザ機器のために異なる数の送信アンテナが構成されるようになり、スループットをさらに改善して、カバレージおよびユーザ体験を向上させることができるようになる。
【０１３５】
本発明の実施形態では、任意で、図９に示されるように、方法１００は以下をさらに含む。  
Ｓ１７０：ＣＳＩ−ＲＳシーケンスの最初の値を決定し、ＣＳＩ−ＲＳシーケンスの最初の値は以下の式によって決定され、
Ｃinit＝２10・（７・（ｎs＋１）＋ｌ＋１）・（２・Ｘ＋１）＋２・Ｘ＋ＮCP
ＣinitはＣＳＩ−ＲＳシーケンスの最初の値であり、ｎsはＣＳＩ−ＲＳシーケンスが配置されているスロットの無線フレームスロット番号であり、ｌはＣＳＩ−ＲＳシーケンスが配置されている直交周波数分割多重ＯＦＤＭシンボルのイントラスロット番号であり、Ｘは負でない整数であり、ＮCPは０または１である。  
Ｓ１８０：ＣＳＩ−ＲＳシーケンスの最初の値に応じてＣＳＩ−ＲＳを生成する。 
Ｓ１９０：ＣＳＩ−ＲＳをユーザ機器に送信する。
【０１３６】
具体的には、この実施形態では、ＣＳＩ−ＲＳシーケンスの最初の値はセルＩＤとは無関係であり、主に負でない整数Ｘに依存し、Ｘの値の範囲は０〜５０３であり得る。このようにして、本発明の実施形態による方法は、異なる物理セルＩＤを有する分散型小規模セル基地局、遠隔アンテナユニット、または複数の仮想センサなどのアプリケーションシナリオに適用可能である。
【０１３７】
本発明の実施形態では、ＵＥが１つのアンテナノードの集中型カバレージエリアから２つのアンテナノードのクロスカバレージエリアに移動する処理において、ＵＥが集中型カバレージエリアまたはクロスカバレージエリア内に配置されていることを決定するためにＵＥが識別されて配置された後、シングルノードを使用することによって、集中型カバレージエリア内のＵＥのために２ポート送信が実装されてよく、２つのノードがクロスカバレージエリア内で協調送信を実行し、それによって２ポートの自己組織化送信と４ポート自己組織化送信の切替えを実装することが理解されるべきである。表Ａから表Ｄまでを参照すると、ＵＥのＣＳＩ−ＲＳ構成スキームは、ＵＥ側で２ポート作業状態から４ポート作業状態への切替えを実装するために、それに応じて変更され得る。例として表Ａ内の第１の行における構成をやはり使用して、ＵＥ１が左側の集中型カバレージエリア内に配置される場合、２ポート作業構成スキームＣＳＩ−ＲＳ  ｃｏｎｆｉｇ  ０が指定されてよく、ＵＥ１がクロスカバレージエリアへと右方向に移動することが検出される場合、ｅＮＢはＵＥ１のために４ポート作業構成スキームＣＳＩ−ＲＳ  ｃｏｎｆｉｇ  １０を指定することができ、次いで、ＵＥ１が集中型カバレージエリアへと右方向に移動することが検出される場合、ｅＮＢはＵＥ１のために２ポート作業構成スキームＣＳＩ−ＲＳ  ｃｏｎｆｉｇ  ０を指定することができる。
【０１３８】
本発明の様々な実施形態では、上記のプロセスのシーケンス番号は実装の順序を意味しないことがさらに理解されるべきである。各プロセスの実装順序はその機能および固有の論理に依存するべきであり、本発明の実施形態の実装プロセスへのいかなる限定も構成しないものとする。
【０１３９】
本発明の実施形態におけるチャネル状態情報参照信号を構成するための方法は、従来技術における技術的欠陥を克服し、たとえばＣｏＭＰまたはＨｅｔＮｅｔ、および他の同様の分散型ＤＡＳシステムはマルチポイント協調送信プロセスにおける以前のバージョンのＵＥとの互換性がなく、マルチストリーム協調送信技法は成熟していない。本発明の方法は以下の利点を提供する。
【０１４０】
１．本発明の実施形態による方法は、１Ｔ／２Ｔ／３Ｔ／４Ｔ／８Ｔ送信と、ユーザ機器の信号カバレージ条件およびユーザ機器の最大処理機能に応じた最大８ランクの信号送信との共存を実装できるようにするために、マルチポイント協調ノードの共同ダウンリンクチャネル情報（ＰＭＩおよびＣＱＩなど）の取得を可能にする。たとえば、１Ｔ／２Ｔ送信は、システム内の２Ｒ端末に適用されてよく、１Ｔ／２Ｔ／３Ｔ／４Ｔ送信は４Ｒ端末に適用され得る。
【０１４１】
２．本発明の実施形態による方法は、セル間に重大な干渉（仮想セクタまたは物理セクタ）を有するエリアを、協調マルチストリーム送信が実行されてよくチャネル状態が良好であるエリアに変換することができる。
【０１４２】
３．本発明の実施形態による方法は、システムのオーバーヘッドを大幅に増加することなしに、ＣＳＩ−ＲＳオーバーヘッドが合理的な範囲内で制御されていることを十分に確認することができる。
【０１４３】
４．本発明の実施形態による方法は、低チャネル依存性を理論的に取得するために遠隔アンテナのマルチポイント協調送信を可能にすることができ、ＭＩＭＯ空間多重化利得の反射にとってより好ましい。
【０１４４】
５．従来のマクロサイトは４Ｔまたは８Ｔ送信を使用し、また、２Ｔと比較して、開ループＭＩＭＯは利得を有さず、閉ループ利得は高精度送信チャネルキャリブレーションに依存するが、本発明の実装形態による方法では、分散型遠隔協調送信アンテナはほぼ完全に無関係であるＭＩＭＯチャネルを形成し、それは空間多重化にとって基本的により好ましく、フィードバックされたＰＭＩに敏感ではなく、基本的にどのような要求もチャネルキャリブレーション精度に課されない。
【０１４５】
６．本発明の実施形態による方法は、シングルストリーム／マルチストリーム協調送信およびＵＥのＰＭＩ／ＣＱＩフィードバックを正確に実装することができ、ＵＥはまたＲ１０システムを透過的にサポートすることができる。
【０１４６】
したがって、本発明の実施形態によるチャネル状態情報参照信号を構成するための方法では、ユーザ機器がクロスカバレージエリア内に配置されていると決定される場合、ダウンリンク信号をユーザ機器に送信するためのポートの数はユーザ機器にクロスカバレージエリアを提供する少なくとも２つのノードの送信機能とユーザ機器の受信機能とに応じて決定され、システム内の異なるユーザ機器のために異なる数の送信アンテナが構成されるようになり、スループットをさらに改善して、カバレージおよびユーザ体験を向上させることができるようになる。
【０１４７】
上記は、図１から図９を参照して、本発明の実施形態によるＣＳＩ−ＲＳを構成するための方法を詳細に説明しており、以下は、図１０から図１３を参照して、本発明の実施形態によるＣＳＩ−ＲＳを構成するための基地局を詳細に説明する。
【０１４８】
図１０は、本発明の実施形態による、基地局６００の概略ブロック図である。図１０に示されるように、基地局６００は、
ユーザ機器の位置情報を取得するように構成された取得モジュール６１０と、
取得モジュール６１０によって取得された位置情報に応じて、ユーザ機器は、少なくとも２つのノードがサービスを提供するクロスカバレージエリア内、または１つのノードがサービスを提供する集中型カバレージエリア内に配置されていると決定するように構成された第１の決定モジュール６２０と、
第１の決定モジュール６２０が、ユーザ機器がクロスカバレージエリア内に配置されていると決定する場合、少なくとも２つのノードの送信機能とユーザ機器の受信機能とに応じて、ダウンリンク信号をユーザ機器に送信するためのポートの数を決定するように構成された第２の決定モジュール６３０と、
ＣＳＩ−ＲＳ構成情報をユーザ機器に送信するように構成された送信モジュール６４０であって、ＣＳＩ−ＲＳ構成情報が、第２の決定モジュール６３０によって決定されたポートの数を含む送信モジュール６４０とを含む。
【０１４９】
したがって、本発明の実施形態による基地局では、ユーザ機器がクロスカバレージエリア内に配置されていると決定される場合、ダウンリンク信号をユーザ機器に送信するためのポートの数はユーザ機器にクロスカバレージエリアを提供する少なくとも２つのノードの送信機能とユーザ機器の受信機能とに応じて決定され、システム内の異なるユーザ機器のために異なる数の送信アンテナが構成されるようになり、スループットをさらに改善して、カバレージおよびユーザ体験を向上させることができるようになる。
【０１５０】
本発明の実施形態では、任意で、第２の決定モジュール６３０は、第１の決定モジュールが、ユーザ機器は集中型カバレージエリア内に配置されていると決定する場合、集中型カバレージエリア内でサービスを提供するノードの送信機能に応じて、ダウンリンク信号をユーザ機器に送信するためのポートの数を決定するようにさらに構成される。
【０１５１】
本発明の実施形態では、任意で、図１１に示されるように、基地局６００は、
協調ユーザ機器のために構成され、第１の非協調ユーザ機器および第２の非協調ユーザ機器のために構成されたリソースに多重化されたリソースに応じて、ユーザ機器のＣＳＩ−ＲＳリソース構成シーケンス番号を決定するように構成された第３の決定モジュール６５０をさらに含み、ユーザ機器は、協調ユーザ機器、第１の非協調ユーザ機器、または第２の非協調ユーザ機器に属し、協調ユーザ機器は、第１のノードと第２のノードとがサービスを提供するクロスカバレージエリア内に配置されたユーザ機器を含み、第１の非協調ユーザ機器は、第１のノードがサービスを提供する集中型カバレージエリア内に配置されたユーザ機器を含み、第２の非協調ユーザ機器は、第２のノードがサービスを提供する集中型カバレージエリア内に配置されたユーザ機器を含む。
【０１５２】
送信モジュール６４０は、ＣＳＩ−ＲＳ構成情報をユーザ機器に送信するように構成され、ＣＳＩ−ＲＳ構成情報は、第３の決定モジュール６５０によって決定されたユーザ機器のＣＳＩ−ＲＳリソース構成シーケンス番号をさらに含む。
【０１５３】
本発明の実施形態では、任意で、ユーザ機器が第１の非協調ユーザ機器または第２の非協調ユーザ機器に属する場合、基地局６００は、
第１の非協調ユーザ機器のデータ信号をマッピングする場合、第２の非協調ユーザ機器のＣＳＩ−ＲＳを運ぶリソース要素ＲＥ上の第１の非協調ユーザ機器のデータ信号の電力のためのゼロ化操作を実行するように構成されたマッピングモジュールをさらに含む。
【０１５４】
マッピングモジュールは、第２の非協調ユーザ機器のデータ信号をマッピングする場合、第１の非協調ユーザ機器のＣＳＩ−ＲＳを運ぶＲＥ上の第２の非協調ユーザ機器のデータ信号の電力のためのゼロ化操作を実行するようにさらに構成される。
【０１５５】
本発明の実施形態では、任意で、第２の決定モジュール６３０が、ダウンリンク信号を協調ユーザ機器に送信するためのポートの数は４であると決定し、ダウンリンク信号を第１の非協調ユーザ機器および第２の非協調ユーザ機器に送信するためのポートの数は２であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ａに応じて決定され、
【０１５６】
【表２７】
0006374510.tif 000028
【０１５７】
ダウンリンク信号をユーザ機器に送信するために基地局によって使用されるフレーム構造は通常のサイクリックプリフィックスを採用し、タイプ１およびタイプ２に適用可能なフレーム構造である。
【０１５８】
本発明の実施形態では、任意で、第２の決定モジュール６３０が、ダウンリンク信号を協調ユーザ機器に送信するためのポートの数は４であると決定し、ダウンリンク信号を第１の非協調ユーザ機器および第２の非協調ユーザ機器に送信するためのポートの数は２であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｂに応じて決定され、
【０１５９】
【表２８】
0006374510.tif 000029
【０１６０】
ダウンリンク信号をユーザ機器に送信するために基地局によって使用されるフレーム構造は通常のサイクリックプリフィックスを採用し、タイプ１だけに適用可能なフレーム構造である。
【０１６１】
本発明の実施形態では、任意で、第２の決定モジュール６３０が、ダウンリンク信号を協調ユーザ機器に送信するためのポートの数は４であると決定し、ダウンリンク信号を第１の非協調ユーザ機器および第２の非協調ユーザ機器に送信するためのポートの数は２であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｃに応じて決定され、
【０１６２】
【表２９】
0006374510.tif 000030
【０１６３】
ダウンリンク信号をユーザ機器に送信するために基地局によって使用されるフレーム構造は拡張されたサイクリックプリフィックスを採用し、タイプ１およびタイプ２に適用可能なフレーム構造である。
【０１６４】
本発明の実施形態では、任意で、第２の決定モジュール６３０が、ダウンリンク信号を協調ユーザ機器に送信するためのポートの数は４であると決定し、ダウンリンク信号を第１の非協調ユーザ機器および第２の非協調ユーザ機器に送信するためのポートの数は２であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｄに応じて決定され、
【０１６５】
【表３０】
0006374510.tif 000031
【０１６６】
ダウンリンク信号をユーザ機器に送信するために基地局によって使用されるフレーム構造は拡張されたサイクリックプリフィックスを採用し、タイプ１だけに適用可能なフレーム構造である。
【０１６７】
本発明の実施形態では、任意で、第２の決定モジュール６３０が、ダウンリンク信号を協調ユーザ機器に送信するためのポートの数は８であると決定し、ダウンリンク信号を第１の非協調ユーザ機器および第２の非協調ユーザ機器に送信するためのポートの数は４であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｅに応じて決定され、
【０１６８】
【表３１】
0006374510.tif 000032
【０１６９】
ダウンリンク信号をユーザ機器に送信するためのフレーム構造は通常のサイクリックプリフィックスを採用し、タイプ１およびタイプ２に適用可能なフレーム構造である。
【０１７０】
本発明の実施形態では、任意で、第２の決定モジュール６３０が、ダウンリンク信号を協調ユーザ機器に送信するためのポートの数は８であると決定し、ダウンリンク信号を第１の非協調ユーザ機器および第２の非協調ユーザ機器に送信するためのポートの数は４であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｆに応じて決定され、
【０１７１】
【表３２】
0006374510.tif 000033
【０１７２】
ダウンリンク信号をユーザ機器に送信するために基地局によって使用されるフレーム構造は通常のサイクリックプリフィックスを採用し、タイプ１だけに適用可能なフレーム構造である。
【０１７３】
本発明の実施形態では、任意で、第２の決定モジュール６３０が、ダウンリンク信号を協調ユーザ機器に送信するためのポートの数は８であると決定し、ダウンリンク信号を第１の非協調ユーザ機器および第２の非協調ユーザ機器に送信するためのポートの数は４であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｇに応じて決定され、
【０１７４】
【表３３】
0006374510.tif 000034
【０１７５】
ダウンリンク信号をユーザ機器に送信するために基地局によって使用されるフレーム構造は拡張されたサイクリックプリフィックスを採用し、タイプ１およびタイプ２に適用可能なフレーム構造である。
【０１７６】
本発明の実施形態では、任意で、第２の決定モジュール６３０が、ダウンリンク信号を協調ユーザ機器に送信するためのポートの数は８であると決定し、ダウンリンク信号を第１の非協調ユーザ機器および第２の非協調ユーザ機器に送信するためのポートの数は４であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｈに応じて決定され、
【０１７７】
【表３４】
0006374510.tif 000035
【０１７８】
ダウンリンク信号をユーザ機器に送信するために基地局によって使用されるフレーム構造は拡張されたサイクリックプリフィックスを採用し、タイプ１だけに適用可能なフレーム構造である。
【０１７９】
本発明の実施形態では、任意で、図１２に示されるように、基地局６００は、
ＣＳＩ−ＲＳシーケンスの最初の値を決定するように構成された第４の決定モジュール６６０であって、ＣＳＩ−ＲＳシーケンスの最初の値は以下の式によって決定され、
Ｃinit＝２10・（７・（ｎs＋１）＋ｌ＋１）・（２・Ｘ＋１）＋２・Ｘ＋ＮCP
ＣinitはＣＳＩ−ＲＳシーケンスの最初の値であり、ｎsはＣＳＩ−ＲＳシーケンスが配置されているスロットの無線フレームスロット番号であり、ｌはＣＳＩ−ＲＳシーケンスが配置されている直交周波数分割多重ＯＦＤＭシンボルのイントラスロット番号であり、Ｘは負でない整数であり、ＮCPは０または１である第４の決定モジュールと、
第４の決定モジュール６６０によって決定されたＣＳＩ−ＲＳシーケンスの最初の値に応じてＣＳＩ−ＲＳを生成するように構成された生成モジュール６７０とをさらに含み、
送信モジュール６４０は、生成モジュール６７０によって生成されたＣＳＩ−ＲＳをユーザ機器に送信するようにさらに構成される。
【０１８０】
本発明の実施形態による基地局６００は、本発明の実施形態によるＣＳＩ−ＲＳを構成するための方法の実行体に対応することができ、基地局６００における各モジュールの上記および他の動作ならびに／または機能は、それぞれ図１から図９における各方法の対応するプロセスを実装することが意図され、それは簡潔にするために本明細書では繰り返し説明されない。
【０１８１】
したがって、本発明の実施形態による基地局では、ユーザ機器がクロスカバレージエリア内に配置されていると決定される場合、ダウンリンク信号をユーザ機器に送信するためのポートの数はユーザ機器にクロスカバレージエリアを提供する少なくとも２つのノードの送信機能とユーザ機器の受信機能とに応じて決定され、システム内の異なるユーザ機器のために異なる数の送信アンテナが構成されるようになり、スループットをさらに改善して、カバレージおよびユーザ体験を向上させることができるようになる。
【０１８２】
さらに、「システム」および「ネットワーク」という用語は本明細書では通常交換可能である。本明細書における「および／または」という用語は関連付けられるオブジェクトを説明するための対応関係にすぎず、３つの可能な関係が存在し得ることを表し、たとえばＡおよび／またはＢは、Ａが別々に存在する、ＡとＢとの両方が存在する、ならびにＢが別々に存在する、の３つの場合を表し得る。さらに、本明細書における「／」という記号は通常、その記号の前および後の関連付けられるオブジェクトが「または（ｏｒ）」関係にあることを表す。
【０１８３】
本発明の実施形態では、「Ａ」に対応する「Ｂ」は、ＢはＡと相関関係があり、ＢはＡに応じて決定され得ることを意味することが理解されるべきである。しかしながら、Ａに応じてＢを決定することは必ずしもＡだけに応じてＢを決定することを指さず、Ａおよび／または他の情報に応じてＢを決定することも指す場合があることがさらに理解されるべきである。
【０１８４】
図１２に示されるように、本発明の実施形態は基地局７００をさらに提供する。基地局７００は、プロセッサ７１０、メモリ７２０、バスシステム７３０、およびイニシエータ７５０を含む。プロセッサ７１０、メモリ７２０、およびイニシエータ７５０はバスシステム７３０を通じて接続されており、メモリ７２０は命令を記憶するように構成されており、プロセッサ７１０は、信号を送信するためにイニシエータ７５０を制御するために、メモリ７２０に記憶された命令を実行するように構成されている。プロセッサ７１０はユーザ機器の情報を取得するように構成されており、プロセッサ７１０は、ユーザ機器が、少なくとも２つのノードがサービスを提供するクロスカバレージエリア内、または１つのノードがサービスを提供する集中型カバレージエリア内に配置されているという位置情報に応じて決定するようにさらに構成されており、プロセッサ７１０は、ユーザ機器がクロスカバレージエリア内に配置されていると決定される場合、少なくとも２つのノードの送信機能とユーザ機器の受信機能とに応じてダウンリンク信号をユーザ機器に送信するためのポートの数を決定するようにさらに構成されており、イニシエータ７５０はＣＳＩ−ＲＳ構成情報をユーザ機器に送信するように構成されており、ＣＳＩ−ＲＳ構成情報は決定されたポートの数を含む。
【０１８５】
したがって、本発明の実施形態による基地局では、ユーザ機器がクロスカバレージエリア内に配置されていると決定される場合、ダウンリンク信号をユーザ機器に送信するためのポートの数はユーザ機器にクロスカバレージエリアを提供する少なくとも２つのノードの送信機能とユーザ機器の受信機能とに応じて決定され、システム内の異なるユーザ機器のために異なる数の送信アンテナが構成されるようになり、スループットをさらに改善して、カバレージおよびユーザ体験を向上させることができるようになる。
【０１８６】
本発明の実施形態では、プロセッサ７１０は中央処理装置（Ｃｅｎｔｒａｌ  Ｐｒｏｃｅｓｓｉｎｇ  Ｕｎｉｔ、ＣＰＵ）でもよく、または、プロセッサ７１０は別のユニバーサルプロセッサ、デジタル信号プロセッサ（ＤＳＰ）、特定用途向け集積回路（ＡＳＩＣ）、フィールドプログラマブルゲートアレイ（ＦＰＧＡ）、または別のプログラマブル論理構成要素、スタンドアロンゲートもしくはトランジスタ論理構成要素、スタンドアロンハードウェア構成要素、または同様のものでもよいことが理解されるべきである。ユニバーサルプロセッサは、マイクロプロセッサ、任意の従来のプロセッサ、または同様のものでもよい。
【０１８７】
メモリ７２０は読出し専用メモリとランダムアクセスメモリとを含んでよく、命令およびデータをプロセッサ７１０に提供し得る。メモリ７２０の一部は不揮発性ランダムアクセスメモリをさらに含んでよく、たとえば、メモリ７２０はデバイスタイプについての情報をさらに記憶し得る。
【０１８８】
バスシステム７３０は、データバスだけでなく電力供給バス、状態信号バス、および同様のものも含み得る。しかしながら、明確にするために、添付の図面において、すべての種類のバスは一様にバスシステム７３０と呼ばれる。
【０１８９】
実装形態プロセスでは、方法のステップは、プロセッサ７１０内のハードウェアの集積論理回路によって、またはソフトウェア命令によって実装され得る。本発明の実施形態に開示された方法のステップは、直接ハードウェアプロセッサによって、またはプロセッサ内のハードウェアとソフトウェアモジュールの組合せによって実行され得る。ソフトウェアモジュールは、ランダムアクセスメモリ、フラッシュメモリ、読出し専用メモリ、プログラマブル読出し専用メモリ、電気的消去可能プログラムマブルメモリ、レジスタ、または当技術分野において成熟している他の任意のストレージ媒体に常駐し得る。ストレージ媒体はメモリ７２０内に配置されており、プロセッサ７１０は、メモリ７２０内の情報を読み取り、方法のステップを実装するために、そのハードウェアとともに動作する。繰り返しを避けるために、詳細は本明細書に記載されていない。
【０１９０】
任意で、ある実装形態では、プロセッサ７１０によって、ダウンリンク信号をユーザ機器に送信するためのポートの数を決定するステップは、ユーザ機器は集中型カバレージエリア内に配置されていると決定される場合、集中型カバレージエリア内でサービスを提供するノードの送信機能に応じて、ダウンリンク信号をユーザ機器に送信するためのポートの数を決定するステップを含む。
【０１９１】
任意で、ある実施形態では、プロセッサ７１０は、協調ユーザ機器のために構成され、第１の非協調ユーザ機器および第２の非協調ユーザ機器のために構成されたリソースに多重化されたリソースに応じて、ユーザ機器のＣＳＩ−ＲＳリソース構成シーケンス番号を決定するようにさらに構成され、ユーザ機器は、協調ユーザ機器、第１の非協調ユーザ機器、または第２の非協調ユーザ機器に属し、協調ユーザ機器は、第１のノードと第２のノードとがサービスを提供するクロスカバレージエリア内に配置されたユーザ機器を含み、第１の非協調ユーザ機器は、第１のノードがサービスを提供する集中型カバレージエリア内に配置されたユーザ機器を含み、第２の非協調ユーザ機器は、第２のノードがサービスを提供する集中型カバレージエリア内に配置されたユーザ機器を含む。
【０１９２】
イニシエータ７５０が、ＣＳＩ−ＲＳ構成情報をユーザ機器に送信するように構成されていることは、ＣＳＩ−ＲＳ構成情報をユーザ機器に送信することを具体的に含み、ＣＳＩ−ＲＳ構成情報が、ユーザ機器のＣＳＩ−ＲＳリソース構成シーケンス番号をさらに含む。
【０１９３】
任意で、ある実施形態では、ユーザ機器が第１の非協調ユーザ機器または第２の非協調ユーザ機器に属する場合、プロセッサ７１０は、第１の非協調ユーザ機器のデータ信号をマッピングする場合、第２の非協調ユーザ機器のＣＳＩ−ＲＳを運ぶリソース要素ＲＥ上の第１の非協調ユーザ機器のデータ信号の電力のためのゼロ化操作を実行して、第２の非協調ユーザ機器のデータ信号をマッピングする場合、第１の非協調ユーザ機器のＣＳＩ−ＲＳを運ぶＲＥ上の第２の非協調ユーザ機器のデータ信号の電力のためのゼロ化操作を実行するようにさらに構成される。
【０１９４】
任意で、ある実施形態では、プロセッサ７１０が、ダウンリンク信号を協調ユーザ機器に送信するためのポートの数は４であると決定し、ダウンリンク信号を第１の非協調ユーザ機器および第２の非協調ユーザ機器に送信するためのポートの数は２であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ａに応じて決定され、上表で、ダウンリンク信号をユーザ機器に送信するためのフレーム構造は通常のサイクリックプリフィックスを採用し、タイプ１およびタイプ２に適用可能なフレーム構造である。
【０１９５】
任意で、ある実施形態では、プロセッサ７１０が、ダウンリンク信号を協調ユーザ機器に送信するためのポートの数は４であると決定し、ダウンリンク信号を第１の非協調ユーザ機器および第２の非協調ユーザ機器に送信するためのポートの数は２であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｂに応じて決定され、上表で、ダウンリンク信号をユーザ機器に送信するためのフレーム構造は通常のサイクリックプリフィックスを採用し、タイプ１だけに適用可能なフレーム構造である。
【０１９６】
任意で、ある実施形態では、プロセッサ７１０が、ダウンリンク信号を協調ユーザ機器に送信するためのポートの数は４であると決定し、ダウンリンク信号を第１の非協調ユーザ機器および第２の非協調ユーザ機器に送信するためのポートの数は２であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｃに応じて決定され、上表で、ダウンリンク信号をユーザ機器に送信するためのフレーム構造は拡張されたサイクリックプリフィックスを採用し、タイプ１およびタイプ２に適用可能なフレーム構造である。
【０１９７】
任意で、ある実施形態では、プロセッサ７１０が、ダウンリンク信号を協調ユーザ機器に送信するためのポートの数は４であると決定し、ダウンリンク信号を第１の非協調ユーザ機器および第２の非協調ユーザ機器に送信するためのポートの数は２であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｄに応じて決定され、上表で、ダウンリンク信号をユーザ機器に送信するためのフレーム構造は拡張されたサイクリックプリフィックスを採用し、タイプ１だけに適用可能なフレーム構造である。
【０１９８】
任意で、ある実施形態では、プロセッサ７１０が、ダウンリンク信号を協調ユーザ機器に送信するためのポートの数は８であると決定し、ダウンリンク信号を第１の非協調ユーザ機器および第２の非協調ユーザ機器に送信するためのポートの数は４であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｅに応じて決定され、上表で、ダウンリンク信号をユーザ機器に送信するためのフレーム構造は通常のサイクリックプリフィックスを採用し、タイプ１およびタイプ２に適用可能なフレーム構造である。
【０１９９】
任意で、ある実施形態では、プロセッサ７１０が、ダウンリンク信号を協調ユーザ機器に送信するためのポートの数は８であると決定し、ダウンリンク信号を第１の非協調ユーザ機器および第２の非協調ユーザ機器に送信するためのポートの数は４であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｆに応じて決定され、上表で、ダウンリンク信号をユーザ機器に送信するためのフレーム構造は通常のサイクリックプリフィックスを採用し、タイプ１だけに適用可能なフレーム構造である。
【０２００】
任意で、ある実施形態では、プロセッサ７１０が、ダウンリンク信号を協調ユーザ機器に送信するためのポートの数は８であると決定し、ダウンリンク信号を第１の非協調ユーザ機器および第２の非協調ユーザ機器に送信するためのポートの数は４であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｇに応じて決定され、上表で、ダウンリンク信号をユーザ機器に送信するためのフレーム構造は拡張されたサイクリックプリフィックスを採用し、タイプ１およびタイプ２に適用可能なフレーム構造である。
【０２０１】
任意で、ある実施形態では、プロセッサ７１０が、ダウンリンク信号を協調ユーザ機器に送信するためのポートの数は８であると決定し、ダウンリンク信号を第１の非協調ユーザ機器および第２の非協調ユーザ機器に送信するためのポートの数は４であると決定する場合、協調ユーザ機器のＣＳＩ−ＲＳリソース構成シーケンス番号と、第１の非協調ユーザ機器および第２の非協調ユーザ機器のＣＳＩ−ＲＳリソース構成シーケンス番号との間の対応は表Ｈに応じて決定され、上表で、ダウンリンク信号をユーザ機器に送信するためのフレーム構造は拡張されたサイクリックプリフィックスを採用し、タイプ１だけに適用可能なフレーム構造である。
【０２０２】
任意で、ある実施形態では、プロセッサ７１０は、ＣＳＩ−ＲＳシーケンスの最初の値を決定して、ＣＳＩ−ＲＳシーケンスの最初の値は以下の式によって決定され、
Ｃinit＝２10・（７・（ｎs＋１）＋ｌ＋１）・（２・Ｘ＋１）＋２・Ｘ＋ＮCP
ＣinitはＣＳＩ−ＲＳシーケンスの最初の値であり、ｎsはＣＳＩ−ＲＳシーケンスが配置されているスロットの無線フレームスロット番号であり、ｌはＣＳＩ−ＲＳシーケンスが配置されている直交周波数分割多重ＯＦＤＭシンボルのイントラスロット番号であり、Ｘは負でない整数であり、ＮCPは０または１であり、
ＣＳＩ−ＲＳシーケンスの最初の値に応じてＣＳＩ−ＲＳを生成するようにさらに構成され、
イニシエータ７５０は、ＣＳＩ−ＲＳをユーザ機器に送信するようにさらに構成される。
【０２０３】
本発明の実施形態による基地局７００は、本発明の実施形態による基地局６００と、本発明の実施形態によるＣＳＩ−ＲＳを構成するための方法を実行するためのエンティティとに対応することができ、基地局６００における各モジュールの上記および他の動作ならびに／または機能は、それぞれ図１から図９における各方法の対応するプロセスを実装することが意図され、それは簡潔にするために本明細書では繰り返し説明されないことが理解されるべきである。
【０２０４】
したがって、本発明の実施形態による基地局では、ユーザ機器がクロスカバレージエリア内に配置されていると決定される場合、ダウンリンク信号をユーザ機器に送信するためのポートの数はユーザ機器にクロスカバレージエリアを提供する少なくとも２つのノードの送信機能とユーザ機器の受信機能とに応じて決定され、システム内の異なるユーザ機器のために異なる数の送信アンテナが構成されるようになり、スループットをさらに改善して、カバレージおよびユーザ体験を向上させることができるようになる。
【０２０５】
当業者は、本明細書に開示された実施形態と組み合わせて説明されたユニットおよびアルゴリズムステップは、電子ハードウェア、コンピュータソフトウェア、または両者の組合せによって実装され得ることを認識することができる。ハードウェアとソフトウェアとの間の互換性を明らかに説明するために、上記は機能による例の組成物およびステップを一般的に説明している。これらの機能が、ハードウェアによって実行されるか、またはソフトウェアによって実行されるかは、特定のアプリケーションおよび技術的ソリューションの設計制約条件に依存する。当業者は、特定のアプリケーションごとに説明された機能を実装するために異なる方法を使用することができるが、実装形態は本発明の範囲を超えると考えられるべきではない。
【０２０６】
当業者は、便利で簡単な説明の目的のために、上記のシステム、装置、および装置の詳細な作業プロセスのために上記の方法実施形態における対応するプロセスへの参照が行われ得るということを明らかに理解することができるので、詳細は本明細書では繰り返し説明されない。
【０２０７】
本出願において提供されるいくつかの実施形態では、開示されたシステム、装置、および方法は他の方法で実装され得ることが理解されるべきである。たとえば、説明された装置実施形態は例示にすぎない。たとえば、ユニット部門は論理機能部門にすぎず、実際の実装形態では他の部門であり得る。たとえば、複数のユニットまたは構成要素が組み合わされてもよく、別のシステムに統合されてもよく、または一部の機能が無視されてもよく、実行されなくてもよい。また、図示もしくは議論された相互結合、または直接結合、または通信接続は、いくつかのインターフェースを介して実装され得る。装置間またはユニット間の間接的な結合または通信接続は、電子的、機械的、または他の形で実装され得る。
【０２０８】
別々のユニットとして説明されるユニットは、物理的に分離していてもいなくてもよく、ユニットとして表示された部分は物理的なユニットであってもなくてもよく、１つの位置に配置されてもよく、複数のネットワークユニットに分散されてもよい。ユニットの一部またはすべては、本発明の実施形態のソリューションの目的を達成するために実際のニーズに応じて選択され得る。
【０２０９】
さらに、本発明の実施形態における機能ユニットは、１つの処理ユニットに統合されてもよく、ユニットのそれぞれが物理的に単独で存在してもよく、または複数のユニットが１つのユニットに統合されてもよい。統合されたユニットは、ハードウェアの形で実装されてもよく、ソフトウェア機能ユニットの形で実装されてもよい。
【０２１０】
上記の実装形態方法の説明によれば、当業者は、本発明はハードウェア、ファームウェア、またはそれらの組合せによって実装され得ることを明確に理解することができる。本発明がソフトウェアによって実装される場合、機能はコンピュータ可読媒体に記憶されてもよく、コンピュータ可読媒体上の１または複数の命令もしくはコードとして送信されてもよい。コンピュータ可読媒体はコンピュータストレージ媒体および通信媒体を含み、通信媒体は、ある場所から別の場所へのコンピュータプログラムの転送を容易にする任意の媒体を含む。ストレージ媒体は、コンピュータによってアクセス可能な任意の利用可能な媒体であり得る。コンピュータ可読媒体の例は、これに限定されないが、ＲＡＭ、ＲＯＭ、ＥＥＰＲＯＭ、ＣＤ−ＲＯＭ、または他の光ディスクストレージ媒体もしくは磁気ディスクストレージ媒体、もしくは他の磁気ストレージデバイス、または予想されるプログラムコードを命令の形で、もしくはデータ構造の形で搬送または記憶するために使用され得る他の任意のコンピュータアクセス媒体を含む。さらに、任意の接続は適切にコンピュータ可読媒体となり得る。たとえば、ソフトウェアが、同軸ケーブル、光ケーブル、ツイストペア、デジタル加入者線（ＤＳＬ）を使用することによって、または赤外線送信、無線送信、およびマイクロ波送信などの無線技術を使用することによって、ウェブサイト、サーバ、または別の遠隔ソースから送信される場合、同軸ケーブル、もしくは光ケーブル、もしくはツイストペア、もしくはＤＳＬ、または赤外線送信、無線送信、およびマイクロ波送信などの無線技術は、媒体の固定に含まれる。本発明において使用されるように、ディスク（ｄｉｓｋ）およびディスク（ｄｉｓｃ）は、コンパクトディスク（ＣＤ）、レーザディスク、光ディスク、デジタル多用途ディスク（ＤＶＤ）、フロッピーディスク、およびブルーレイディスクを含む。一般に、ディスク（ｄｉｓｋ）はデータを磁気的にコピーし、ディスク（ｄｉｓｃ）はレーザーを使用することによってデータを光学的にコピーする。それらの組合せもコンピュータ可読媒体の保護範囲内に入るものとする。
【０２１１】
結論として、上記の説明は本発明の技術的ソリューションの例示的な実施形態にすぎず、本発明の保護範囲を限定することを意図するものではない。本発明の趣旨および原則内で行われるすべての変更、同等置換、または改良は、本発明の保護範囲内に入るものとする。
【図１】
0006374510.tif 000048
【図２】
0006374510.tif 000049
【図３】
0006374510.tif 000050
【図４】
0006374510.tif 000051
【図５】
0006374510.tif 000052
【図６】
0006374510.tif 000053
【図７】
0006374510.tif 000054
【図８】
0006374510.tif 000055
【図９】
0006374510.tif 000056
【図１０】
0006374510.tif 000057
【図１１】
0006374510.tif 000058
【図１２】
0006374510.tif 000059
【図１３】
0006374510.tif 000060